(57)【特許請求の範囲】
【請求項１】
ワイヤレス通信の方法において、
ｅノードＢ（ｅＮＢ）において、少なくとも１つの隣接するｅＮＢと、干渉ユーザ機器（ＵＥ）とを識別する１つ以上の半静的パラメータを取得することと、
前記ｅＮＢにおいて、前記１つ以上の半静的パラメータに基づいてブラインド干渉低減スキームを適用することによって、前記干渉ＵＥにより発生された信号からの信号干渉を低減させることとを含み、
前記少なくとも１つの隣接するｅＮＢと前記干渉ＵＥは、前記ｅＮＢのセルのすぐ隣のセル中にまたは前記ｅＮＢのセルとオーバーラップするセル中に位置している方法。
【請求項２】
前記１つ以上の半静的パラメータは、
ｅＮＢセルＩＤ；
前記干渉ＵＥのネットワーク識別子；
前記干渉ＵＥのリソースＩＤ；または、
それらの組み合わせ、のうちの１つ以上を含む請求項１記載の方法。
【請求項３】
ペイロードサイズ；
前記干渉ＵＥが、サブフレーム中で制御チャネル品質インジケータ（ＣＱＩ）を送っているか否か；または、
それらの組み合わせ、のうちの１つ以上が既知ではない請求項２記載の方法。
【請求項４】
前記ｅＮＢセルＩＤを使用して検出されるルーツシーケンス；
前記干渉ＵＥのリソースＩＤを使用して検出される無線ベアラ位置；
前記ｅＮＢセルＩＤと、前記干渉ＵＥのリソースＩＤとを使用して検出される、局所的周波数分割多重化シンボルごとの循環シフトインデックス； 
前記ｅＮＢセルＩＤと、前記干渉ＵＥのネットワーク識別子とを使用して検出される、スクランブリングシーケンス；または、
それらの組み合わせ、のうちの１つ以上が前記１つ以上の半静的パラメータから導出される請求項２記載の方法。
【請求項５】
前記１つ以上の半静的パラメータは、ｅＮＢセルＩＤと、前記干渉ＵＥのネットワーク識別子とを含む請求項１記載の方法。
【請求項６】
ペイロードサイズ；
局所的周波数分割多重化シンボルごとの循環シフトインデックス；
前記干渉ＵＥが、サブフレーム中で制御ＣＱＩを送っているか否か；または、
それらの組み合わせ、のうちの１つ以上が既知ではない請求項５記載の方法。
【請求項７】
前記ｅＮＢセルＩＤを使用して検出されるルーツシーケンス；
前記ｅＮＢセルＩＤにより検出される、サブフレーム中の各局所的周波数分割多重化シンボルに対する共通シフトオフセット；
前記ｅＮＢセルＩＤと、前記干渉ＵＥのネットワーク識別子とを使用して検出されるスクランブリングシーケンス；または、
それらの組み合わせ、のうちの１つ以上が、前記１つ以上の半静的パラメータから導出される請求項５記載の方法。
【請求項８】
前記１つ以上の半静的パラメータは、ｅＮＢセルＩＤを含む請求項１記載の方法。
【請求項９】
ペイロードサイズ；
局所的周波数分割多重化シンボルごとの循環シフトインデックス；
前記干渉ＵＥが、サブフレーム中で制御ＣＱＩを送っているか否か； 
スクランブリングシーケンス；または、
それらの組み合わせ、のうちの１つ以上が既知ではない請求項８記載の方法。
【請求項１０】
前記ｅＮＢセルＩＤを使用して検出されるルーツシーケンス；または、
前記ｅＮＢセルＩＤにより検出される、サブフレーム中の各局所的周波数分割多重化シンボルに対する共通シフトオフセット、のうちの１つ以上が、前記１つ以上の半静的パラメータから導出される請求項８記載の方法。
【請求項１１】
ワイヤレス通信の方法において、
ｅノードＢ（ｅＮＢ）において、少なくとも１つの隣接するｅＮＢと、干渉ユーザ機器（ＵＥ）とを識別する１つ以上の半静的パラメータを取得することと、
前記ｅＮＢにおいて、前記１つ以上の半静的パラメータに基づいてブラインド干渉低減スキームを適用することによって、前記干渉ＵＥにより発生された信号からの信号干渉を低減させることとを含み、
前記少なくとも１つの隣接するｅＮＢと前記干渉ＵＥは、前記ｅＮＢのセルのすぐ隣のセル中にまたは前記ｅＮＢのセルとオーバーラップするセル中に位置しており、
前記ブラインド干渉低減スキームを適用することは、                
前記少なくとも１つの隣接するｅＮＢの干渉低減順序を識別することと、
最大ペイロードサイズを仮定して、前記干渉ＵＥからの受信信号をデコードすることと、
前記デコードした信号から、前記干渉ＵＥの送信信号を再構築することと、
前記再構築した送信信号中で不連続的な送信を検出することとにより、前記干渉低減順序にしたがって前記少なくとも１つの隣接するｅＮＢを処理することとをさらに含む方法。
【請求項１２】
前記少なくとも１つの隣接するｅＮＢの干渉低減順序を識別することは、
隣接するｅＮＢが前記干渉ＵＥから観測する平均ノイズを推定することと、
前記推定した平均ノイズにしたがって前記少なくとも１つの隣接するｅＮＢを順序付けることにより、前記ブラインド干渉低減の順序を生成させることとをさらに含む請求項１１記載の方法。
【請求項１３】
前記不連続的な送信を検出することは、
受信信号から、前記再構築した送信信号を除去することにより、残余信号を生成させることと、
前記受信信号のエネルギーと前記残余信号のエネルギーとを計算することと、
前記受信信号エネルギー対前記残余信号エネルギーの比を計算することと、
前記比をしきい値と比較することと、
前記比が前記しきい値よりも上である場合に、不連続的な送信を宣言することとをさらに含む請求項１１記載の方法。
【請求項１４】
ワイヤレス通信の方法において、
ｅノードＢ（ｅＮＢ）において、少なくとも１つの隣接するｅＮＢと、干渉ユーザ機器（ＵＥ）とを識別する１つ以上の半静的パラメータを取得することと、
前記ｅＮＢにおいて、前記１つ以上の半静的パラメータに基づいてブラインド干渉低減スキームを適用することによって、前記干渉ＵＥにより発生された信号からの信号干渉を低減させることとを含み、
前記少なくとも１つの隣接するｅＮＢと前記干渉ＵＥは、前記ｅＮＢのセルのすぐ隣のセル中にまたは前記ｅＮＢのセルとオーバーラップするセル中に位置しており、
前記１つ以上の半静的パラメータは、ｅＮＢセルＩＤと、前記干渉ＵＥのネットワーク識別子とを含み、
前記ブラインド干渉低減スキームを適用することは、
前記干渉ＵＥのリソースＩＤを決定することと、
前記少なくとも１つの隣接するｅＮＢの干渉低減順序を識別することと、
前記干渉ＵＥからの信号をデコードすることと、
前記干渉ＵＥの送信信号を再構築することと、
前記再構築した信号から不連続的な送信を検出することとをさらに含む方法。
【請求項１５】
前記干渉ＵＥのリソースＩＤを決定することは、
複数の可能性ある循環シフトインデックスのそれぞれに対して、前記干渉ＵＥに対する平均ノイズを推定することと、
それらのノイズレベルにしたがって前記ノイズ推定を順序付けることと、
最低ノイズレベル推定を表す循環シフトインデックスを前記干渉ＵＥに割り当てることとをさらに含む請求項１４記載の方法。
【請求項１６】
前記干渉ＵＥからの信号をデコードすることは、
１つ以上の干渉ＵＥが存在するか否かを決定することと、
単一の干渉ＵＥが存在する場合に、
最大ペイロードサイズを予め定められた数に等しく設定することと、
前記最大ペイロードサイズを使用して、前記干渉ＵＥからの信号をデコードすることとを、または、
１つより多い干渉ＵＥが存在する場合に、
複数の既知のスクランブリングコードを使用して、前記各干渉ＵＥの信号をデコードすることと、
前記デコーディングの間に相関を計算することと、
前記相関の最大数に対応する前記デコードした信号を選択することとをさらに含む請求項１４記載の方法。
【請求項１７】
ワイヤレス通信の方法において、
ｅノードＢ（ｅＮＢ）において、少なくとも１つの隣接するｅＮＢと、干渉ユーザ機器（ＵＥ）とを識別する１つ以上の半静的パラメータを取得することと、
前記ｅＮＢにおいて、前記１つ以上の半静的パラメータに基づいてブラインド干渉低減スキームを適用することによって、前記干渉ＵＥにより発生された信号からの信号干渉を低減させることとを含み、
前記少なくとも１つの隣接するｅＮＢと前記干渉ＵＥは、前記ｅＮＢのセルのすぐ隣のセル中にまたは前記ｅＮＢのセルとオーバーラップするセル中に位置しており、
前記１つ以上の半静的パラメータは、ｅＮＢセルＩＤを含み、
前記ブラインド干渉低減スキームを適用することは、
前記少なくとも１つの隣接するｅＮＢの干渉低減順序を識別することと、
対数尤度比を使用して、干渉ＵＥの信号をデコードすることと、
前記デコードした信号から、前記干渉ＵＥの送信信号を再構築して、再構築した信号を形成することと、
前記再構築した信号から不連続的な送信を検出することとをさらに含む方法。
【請求項１８】
ワイヤレス通信の方法において、
ｅノードＢ（ｅＮＢ）において、少なくとも１つの隣接するｅＮＢと、干渉ユーザ機器（ＵＥ）とを識別する１つ以上の半静的パラメータを取得することと、
前記ｅＮＢにおいて、前記１つ以上の半静的パラメータに基づいてブラインド干渉低減スキームを適用することによって、前記干渉ＵＥにより発生された信号からの信号干渉を低減させることとを含み、
前記少なくとも１つの隣接するｅＮＢと前記干渉ＵＥは、前記ｅＮＢのセルのすぐ隣のセル中にまたは前記ｅＮＢのセルとオーバーラップするセル中に位置しており、
前記１つ以上の半静的パラメータを取得することは、
前記１つ以上の半静的パラメータを検出すること；
バックホールを通して、前記１つ以上の半静的パラメータを受信すること；または、
前記ｅＮＢに関係するＵＥからの報告を通して、前記１つ以上の半静的パラメータを受信すること、のうちの少なくとも１つを含み、
前記検出することは、前記少なくとも１つの隣接するｅＮＢと前記干渉ＵＥとに関係するネットワークシグナリングを監視することを含む方法。
【請求項１９】
ワイヤレス通信のための装置において、
ｅノードＢ（ｅＮＢ）において、少なくとも１つの隣接するｅＮＢと、干渉ユーザ機器（ＵＥ）とを識別する１つ以上の半静的パラメータを取得する手段と、
前記ｅＮＢにおいて、前記１つ以上の半静的パラメータに基づいてブラインド干渉低減スキームを適用することによって、前記干渉ＵＥにより発生された信号からの信号干渉を低減させる手段とを具備し、
前記少なくとも１つの隣接するｅＮＢと前記干渉ＵＥは、前記ｅＮＢのセルのすぐ隣のセル中にまたは前記ｅＮＢのセルとオーバーラップするセル中に位置している装置。
【請求項２０】
前記１つ以上の半静的パラメータは、
ｅＮＢセルＩＤ；
前記干渉ＵＥのネットワーク識別子； 
前記干渉ＵＥのリソースＩＤ；または、
それらの組み合わせ、のうちの１つ以上を含む請求項１９記載の装置。
【請求項２１】
ペイロードサイズ；
前記干渉ＵＥが、サブフレーム中で制御ＣＱＩを送っているか否か；または、
それらの組み合わせ、のうちの１つ以上が既知ではない請求項２０記載の装置。
【請求項２２】
前記ｅＮＢセルＩＤを使用して検出されるルーツシーケンス；
前記干渉ＵＥのリソースＩＤを使用して検出される無線ベアラ位置；
前記ｅＮＢセルＩＤと、前記干渉ＵＥのリソースＩＤとを使用して検出される、局所的周波数分割多重化シンボルごとの循環シフトインデックス；
前記ｅＮＢセルＩＤと、前記干渉ＵＥのネットワーク識別子とを使用して検出される、スクランブリングシーケンス；または、
それらの組み合わせ、のうちの１つ以上が前記１つ以上の半静的パラメータから導出される請求項２０記載の装置。
【請求項２３】
前記１つ以上の半静的パラメータは、ｅＮＢセルＩＤと、前記干渉ＵＥのネットワーク識別子とを含む請求項１９記載の装置。
【請求項２４】
ペイロードサイズ；
局所的周波数分割多重化シンボルごとの循環シフトインデックス； 
前記干渉ＵＥが、サブフレーム中で制御ＣＱＩを送っているか否か； 
スクランブリングシーケンス；または、
それらの組み合わせ、のうちの１つ以上が既知ではない請求項２３記載の装置。
【請求項２５】
前記ｅＮＢセルＩＤを使用して検出されるルーツシーケンス；
前記ｅＮＢセルＩＤにより検出される、サブフレーム中の各局所的周波数分割多重化シンボルに対する共通シフトオフセット；
前記ｅＮＢセルＩＤと、前記干渉ＵＥのネットワーク識別子とを使用して検出されるスクランブリングシーケンス；または、
それらの組み合わせ、のうちの１つ以上が、前記１つ以上の半静的パラメータから導出される請求項２３記載の装置。
【請求項２６】
前記１つ以上の半静的パラメータは、ｅＮＢセルＩＤを含む請求項１９記載の装置。
【請求項２７】
ペイロードサイズ；
局所的周波数分割多重化シンボルごとの循環シフトインデックス；
前記干渉ＵＥが、サブフレーム中で制御ＣＱＩを送っているか否か；
スクランブリングシーケンス；または、
それらの組み合わせ、のうちの１つ以上が既知ではない請求項２６記載の装置。
【請求項２８】
前記ｅＮＢセルＩＤを使用して検出されるルーツシーケンス；
前記ｅＮＢセルＩＤにより検出される、サブフレーム中の各局所的周波数分割多重化シンボルに対する共通シフトオフセット；または、
それらの組み合わせ、のうちの１つ以上が、前記１つ以上の半静的パラメータから導出される請求項２６記載の装置。
【請求項２９】
ワイヤレス通信のための装置において、
ｅノードＢ（ｅＮＢ）において、少なくとも１つの隣接するｅＮＢと、干渉ユーザ機器（ＵＥ）とを識別する１つ以上の半静的パラメータを取得する手段と、
前記ｅＮＢにおいて、前記１つ以上の半静的パラメータに基づいてブラインド干渉低減スキームを適用することによって、前記干渉ＵＥにより発生された信号からの信号干渉を低減させる手段とを具備し、
前記少なくとも１つの隣接するｅＮＢと前記干渉ＵＥは、前記ｅＮＢのセルのすぐ隣のセル中にまたは前記ｅＮＢのセルとオーバーラップするセル中に位置しており、
前記ブラインド干渉低減スキームを適用することによって、前記干渉ＵＥにより発生された信号からの信号干渉を低減させる手段は、
前記少なくとも１つの隣接するｅＮＢの干渉低減順序を識別する手段と；
最大ペイロードサイズを仮定して、前記干渉ＵＥからの受信信号をデコードする手段と、
前記デコードした信号から、前記干渉ＵＥの送信信号を再構築する手段と、
前記再構築した送信信号中で不連続的な送信を検出する手段とを含む、前記干渉低減順序にしたがって前記少なくとも１つの隣接するｅＮＢを処理する手段とをさらに備える装置。
【請求項３０】
前記少なくとも１つの隣接するｅＮＢの干渉低減順序を識別する手段は、
隣接するｅＮＢが前記干渉ＵＥから観測する平均ノイズを推定する手段と、
前記推定した平均ノイズにしたがって前記隣接するｅＮＢを順序付けることにより、前記ブラインド干渉低減の順序を生成させる手段とをさらに含む請求項２９記載の装置。
【請求項３１】
前記不連続的な送信を検出する手段は、
受信信号から、前記再構築した送信信号を除去することにより、残余信号を生成させる手段と、
前記受信信号のエネルギーと前記残余信号のエネルギーとを計算する手段と、
前記受信信号エネルギー対前記残余信号エネルギーの比を計算する手段と、
前記比をしきい値と比較する手段と、
前記比が前記しきい値よりも上である場合に、不連続的な送信を宣言する手段をさらに含む請求項２９記載の装置。
【請求項３２】
ワイヤレス通信のための装置において、
ｅノードＢ（ｅＮＢ）において、少なくとも１つの隣接するｅＮＢと、干渉ユーザ機器（ＵＥ）とを識別する１つ以上の半静的パラメータを取得する手段と、
前記ｅＮＢにおいて、前記１つ以上の半静的パラメータに基づいてブラインド干渉低減スキームを適用することによって、前記干渉ＵＥにより発生された信号からの信号干渉を低減させる手段とを具備し、
前記少なくとも１つの隣接するｅＮＢと前記干渉ＵＥは、前記ｅＮＢのセルのすぐ隣のセル中にまたは前記ｅＮＢのセルとオーバーラップするセル中に位置しており、
前記１つ以上の半静的パラメータは、ｅＮＢセルＩＤと、前記干渉ＵＥのネットワーク識別子とを含み、
前記ブラインド干渉低減スキームを適用することによって、前記干渉ＵＥにより発生された信号からの信号干渉を低減させる手段は、
前記干渉ＵＥのリソースＩＤを決定する手段と、
前記少なくとも１つの隣接するｅＮＢの干渉低減順序を識別する手段と、
前記干渉ＵＥからの信号をデコードする手段と、
前記干渉ＵＥの送信信号を再構築する手段と、
前記再構築した信号から不連続的な送信を検出する手段とをさらに備える装置。
【請求項３３】
前記干渉ＵＥのリソースＩＤを決定する手段は、
複数の可能性ある循環シフトインデックスのそれぞれに対して、前記干渉ＵＥに対する平均ノイズを推定する手段と、
それらのノイズレベルにしたがって前記ノイズ推定を順序付ける手段と、
最低ノイズレベル推定を表す循環シフトインデックスを前記干渉ＵＥに割り当てる手段とをさらに含む請求項３２記載の装置。
【請求項３４】
前記干渉ＵＥからの信号をデコードする手段は、
１つ以上の干渉ＵＥが存在するか否かを決定する手段と、
単一の干渉ＵＥが存在する場合に、
最大ペイロードサイズを予め定められた数に等しく設定する手段と、
前記最大ペイロードサイズを使用して、前記干渉ＵＥからの信号をデコードする手段とを、または、
１つより多い干渉ＵＥが存在する場合に、
複数の既知のスクランブリングコードを使用して、前記各干渉ＵＥの信号をデコードする手段と、
前記デコーディングの間に相関を計算する手段と、
前記相関の最大数に対応する前記デコードした信号を選択する手段とをさらに含む請求項３２記載の装置。
【請求項３５】
ワイヤレス通信のための装置において、
ｅノードＢ（ｅＮＢ）において、少なくとも１つの隣接するｅＮＢと、干渉ユーザ機器（ＵＥ）とを識別する１つ以上の半静的パラメータを取得する手段と、
前記ｅＮＢにおいて、前記１つ以上の半静的パラメータに基づいてブラインド干渉低減スキームを適用することによって、前記干渉ＵＥにより発生された信号からの信号干渉を低減させる手段とを具備し、
前記少なくとも１つの隣接するｅＮＢと前記干渉ＵＥは、前記ｅＮＢのセルのすぐ隣のセル中にまたは前記ｅＮＢのセルとオーバーラップするセル中に位置しており、
前記１つ以上の半静的パラメータは、ｅＮＢセルＩＤを含み、
前記ブラインド干渉低減スキームを適用することによって、前記干渉ＵＥにより発生された信号からの信号干渉を低減させる手段は、
前記少なくとも１つの隣接するｅＮＢの干渉低減順序を識別する手段と、
対数尤度比を使用して、干渉ＵＥの信号をデコードする手段と、
前記デコードした信号から、前記干渉ＵＥの送信信号を再構築して、再構築した信号を形成する手段と、
前記再構築した信号から不連続的な送信を検出する手段とをさらに備える装置。
【請求項３６】
ワイヤレス通信のための装置において、
ｅノードＢ（ｅＮＢ）において、少なくとも１つの隣接するｅＮＢと、干渉ユーザ機器（ＵＥ）とを識別する１つ以上の半静的パラメータを取得する手段と、
前記ｅＮＢにおいて、前記１つ以上の半静的パラメータに基づいてブラインド干渉低減スキームを適用することによって、前記干渉ＵＥにより発生された信号からの信号干渉を低減させる手段とを具備し、
前記少なくとも１つの隣接するｅＮＢと前記干渉ＵＥは、前記ｅＮＢのセルのすぐ隣のセル中にまたは前記ｅＮＢのセルとオーバーラップするセル中に位置しており、
前記１つ以上の半静的パラメータを取得する手段は、
前記１つ以上の半静的パラメータを検出すること；
バックホールを通して、前記１つ以上の半静的パラメータを受信すること；または、
前記ｅＮＢに関係するＵＥからの報告を通して、前記１つ以上の半静的パラメータを受信すること、のうちの少なくとも１つを行い、
前記検出することは、前記少なくとも１つの隣接するｅＮＢと前記干渉ＵＥとに関係するネットワークシグナリングを監視することを含む装置。
【請求項３７】
コンピュータ読取可能記憶媒体において、
ｅノードＢ（ｅＮＢ）において、少なくとも１つの隣接するｅＮＢと、干渉ユーザ機器（ＵＥ）とを識別する１つ以上の半静的パラメータを取得するためのコードと、
前記ｅＮＢにおいて、前記１つ以上の半静的パラメータに基づいてブラインド干渉低減スキームを適用することによって、前記干渉ＵＥにより発生された信号からの信号干渉を低減させるためのコードとを含み、
前記少なくとも１つの隣接するｅＮＢと前記干渉ＵＥは、前記ｅＮＢのセルのすぐ隣のセル中にまたは前記ｅＮＢのセルとオーバーラップするセル中に位置しているコンピュータ読取可能記憶媒体。
【請求項３８】
前記１つ以上の半静的パラメータは、
ｅＮＢセルＩＤ；
前記干渉ＵＥのネットワーク識別子； 
前記干渉ＵＥのリソースＩＤ；または、
それらの組み合わせ、のうちの１つ以上を含む請求項３７記載のコンピュータ読取可能記憶媒体。
【請求項３９】
ペイロードサイズ； 
前記干渉ＵＥが、サブフレーム中で制御ＣＱＩを送っているか否か；または、
それらの組み合わせ、のうちの１つ以上が既知ではない請求項３８記載のコンピュータ読取可能記憶媒体。
【請求項４０】
前記ｅＮＢセルＩＤを使用して検出されるルーツシーケンス；
前記干渉ＵＥのリソースＩＤを使用して検出される無線ベアラ位置；
前記ｅＮＢセルＩＤと、前記干渉ＵＥのリソースＩＤとを使用して検出される、局所的周波数分割多重化シンボルごとの循環シフトインデックス； 
前記ｅＮＢセルＩＤと、前記干渉ＵＥのネットワーク識別子とを使用して検出される、スクランブリングシーケンス；または、
それらの組み合わせ、のうちの１つ以上が前記１つ以上の半静的パラメータから導出される請求項３８記載のコンピュータ読取可能記憶媒体。
【請求項４１】
前記１つ以上の半静的パラメータは、ｅＮＢセルＩＤと、前記干渉ＵＥのネットワーク識別子とを含む請求項３７記載のコンピュータ読取可能記憶媒体。
【請求項４２】
ペイロードサイズ；
局所的周波数分割多重化シンボルごとの循環シフトインデックス； 
前記干渉ＵＥが、サブフレーム中で制御ＣＱＩを送っているか否か；または、
それらの組み合わせ、のうちの１つ以上が既知ではない請求項４１記載のコンピュータ読取可能記憶媒体。
【請求項４３】
前記ｅＮＢセルＩＤを使用して検出されるルーツシーケンス；
前記ｅＮＢセルＩＤにより検出される、サブフレーム中の各局所的周波数分割多重化シンボルに対する共通シフトオフセット； 
前記ｅＮＢセルＩＤと、前記干渉ＵＥのネットワーク識別子とを使用して検出されるスクランブリングシーケンス；または、
それらの組み合わせ、のうちの１つ以上が、前記１つ以上の半静的パラメータから導出される請求項４１記載のコンピュータ読取可能記憶媒体。
【請求項４４】
前記１つ以上の半静的パラメータは、ｅＮＢセルＩＤを含む請求項３７記載のコンピュータ読取可能記憶媒体。
【請求項４５】
ペイロードサイズ；
局所的周波数分割多重化シンボルごとの循環シフトインデックス；
前記干渉ＵＥが、サブフレーム中で制御ＣＱＩを送っているか否か；
スクランブリングシーケンス；または、
それらの組み合わせ、のうちの１つ以上が既知ではない請求項４４記載のコンピュータ読取可能記憶媒体。
【請求項４６】
前記ｅＮＢセルＩＤを使用して検出されるルーツシーケンス；
前記ｅＮＢセルＩＤにより検出される、サブフレーム中の各局所的周波数分割多重化シンボルに対する共通シフトオフセット；または、
それらの組み合わせ、のうちの１つ以上が、前記１つ以上の半静的パラメータから導出される請求項４４記載のコンピュータ読取可能記憶媒体。
【請求項４７】
コンピュータ読取可能記憶媒体において、
ｅノードＢ（ｅＮＢ）において、少なくとも１つの隣接するｅＮＢと、干渉ユーザ機器（ＵＥ）とを識別する１つ以上の半静的パラメータを取得するためのコードと、
前記ｅＮＢにおいて、前記１つ以上の半静的パラメータに基づいてブラインド干渉低減スキームを適用することによって、前記干渉ＵＥにより発生された信号からの信号干渉を低減させるためのコードとを含み、
前記少なくとも１つの隣接するｅＮＢと前記干渉ＵＥは、前記ｅＮＢのセルのすぐ隣のセル中にまたは前記ｅＮＢのセルとオーバーラップするセル中に位置しており、
前記信号干渉を低減させるためのコードは、
前記少なくとも１つの隣接するｅＮＢの干渉低減順序を識別するためのコードと、
最大ペイロードサイズを仮定して、前記干渉ＵＥからの受信信号をデコードすることと、
前記デコードした信号から、前記干渉ＵＥの送信信号を再構築することと、
前記再構築した送信信号中で不連続的な送信を検出することとにより、前記干渉低減順序にしたがって前記少なくとも１つの隣接するｅＮＢを処理するためのコードとを使用して、前記ブラインド干渉低減スキームを適用するコンピュータ読取可能記憶媒体。
【請求項４８】
前記少なくとも１つの隣接するｅＮＢの干渉低減順序を識別するためのコードは、
隣接するｅＮＢが前記干渉ＵＥから観測する平均ノイズを推定するためのコードと、
前記推定した平均ノイズにしたがって前記隣接するｅＮＢを順序付けることにより、前記ブラインド干渉低減の順序を生成させるためのコードとをさらに含む請求項４７記載のコンピュータ読取可能記憶媒体。
【請求項４９】
前記不連続的な送信を検出するためのコードは、
受信信号から、前記再構築した送信信号を除去することにより、残余信号を生成させるためのコードと、
前記受信信号のエネルギーと前記残余信号のエネルギーとを計算するためのコードと、
前記受信信号エネルギー対前記残余信号エネルギーの比を計算するためのコードと、
前記比をしきい値と比較するためのコードと、
前記比が前記しきい値よりも上である場合に、不連続的な送信を宣言するためのコードとをさらに含む請求項４７記載のコンピュータ読取可能記憶媒体。  
【請求項５０】
コンピュータ読取可能記憶媒体において、
ｅノードＢ（ｅＮＢ）において、少なくとも１つの隣接するｅＮＢと、干渉ユーザ機器（ＵＥ）とを識別する１つ以上の半静的パラメータを取得するためのコードと、
前記ｅＮＢにおいて、前記１つ以上の半静的パラメータに基づいてブラインド干渉低減スキームを適用することによって、前記干渉ＵＥにより発生された信号からの信号干渉を低減させるためのコードとを含み、
前記少なくとも１つの隣接するｅＮＢと前記干渉ＵＥは、前記ｅＮＢのセルのすぐ隣のセル中にまたは前記ｅＮＢのセルとオーバーラップするセル中に位置しており、
前記１つ以上の半静的パラメータは、ｅＮＢセルＩＤと、前記干渉ＵＥのネットワーク識別子とを含み、
前記信号干渉を低減させるためのコードは、
前記干渉ＵＥのリソースＩＤを決定するためのコードと、
前記少なくとも１つの隣接するｅＮＢの干渉低減順序を識別するためのコードと、
前記干渉ＵＥからの信号をデコードするためのコードと、
前記干渉ＵＥの送信信号を再構築するためのコードと、
前記再構築した信号から不連続的な送信を検出するためのコードとを使用して、前記ブラインド干渉低減スキームを適用するコンピュータ読取可能記憶媒体。
【請求項５１】
前記干渉ＵＥのリソースＩＤを決定するためのコードは、
複数の可能性ある循環シフトインデックスのそれぞれに対して、前記干渉ＵＥに対する平均ノイズを推定するためのコードと、
それらのノイズレベルにしたがって前記ノイズ推定を順序付けるためのコードと、
最低ノイズレベル推定を表す循環シフトインデックスを前記干渉ＵＥに割り当てるためのコードとをさらに有する請求項５０記載のコンピュータ読取可能記憶媒体。
【請求項５２】
前記干渉ＵＥからの信号をデコードするためのコードは、
１つ以上の干渉ＵＥが存在するか否かを決定するためのコードと、
単一の干渉ＵＥが存在する場合に、
最大ペイロードサイズを予め定められた数に等しく設定するためのコードと、
前記最大ペイロードサイズを使用して、前記干渉ＵＥからの信号をデコードするためのコードとを、または、
１つより多い干渉ＵＥが存在する場合に、
複数の既知のスクランブリングコードを使用して、前記各干渉ＵＥの信号をデコードするためのコードと、
前記デコーディングの間に相関を計算するためのコードと、
前記相関の最大数に対応する前記デコードした信号を選択するためのコードとをさらに有する請求項５０記載のコンピュータ読取可能記憶媒体。
【請求項５３】
コンピュータ読取可能記憶媒体において、
ｅノードＢ（ｅＮＢ）において、少なくとも１つの隣接するｅＮＢと、干渉ユーザ機器（ＵＥ）とを識別する１つ以上の半静的パラメータを取得するためのコードと、
前記ｅＮＢにおいて、前記１つ以上の半静的パラメータに基づいてブラインド干渉低減スキームを適用することによって、前記干渉ＵＥにより発生された信号からの信号干渉を低減させるためのコードとを含み、
前記少なくとも１つの隣接するｅＮＢと前記干渉ＵＥは、前記ｅＮＢのセルのすぐ隣のセル中にまたは前記ｅＮＢのセルとオーバーラップするセル中に位置しており、
前記１つ以上の半静的パラメータは、ｅＮＢセルＩＤを含み、
前記信号干渉を低減させるためのコードは、
前記少なくとも１つの隣接するｅＮＢの干渉低減順序を識別するためのコードと、
対数尤度比を使用して、干渉ＵＥの信号をデコードするためのコードと、
前記デコードした信号から、前記干渉ＵＥの送信信号を再構築して、再構築した信号を形成するためのコードと、
前記再構築した信号から不連続的な送信を検出するためのコードとを使用して、ブラインド干渉低減スキームを適用するコンピュータ読取可能記憶媒体。
【請求項５４】
コンピュータ読取可能記憶媒体において、
ｅノードＢ（ｅＮＢ）において、少なくとも１つの隣接するｅＮＢと、干渉ユーザ機器（ＵＥ）とを識別する１つ以上の半静的パラメータを取得するためのコードと、
前記ｅＮＢにおいて、前記１つ以上の半静的パラメータに基づいてブラインド干渉低減スキームを適用することによって、前記干渉ＵＥにより発生された信号からの信号干渉を低減させるためのコードとを含み、
前記少なくとも１つの隣接するｅＮＢと前記干渉ＵＥは、前記ｅＮＢのセルのすぐ隣のセル中にまたは前記ｅＮＢのセルとオーバーラップするセル中に位置しており、
前記１つ以上の半静的パラメータを取得するためのコードは、
前記１つ以上の半静的パラメータを検出するためのコード；
バックホールを通して、前記１つ以上の半静的パラメータを受信するためのコード；または、
前記ｅＮＢに関係するＵＥからの報告を通して、前記１つ以上の半静的パラメータを受信するためのコード、のうちの少なくとも１つを含み、
前記検出することは、前記少なくとも１つの隣接するｅＮＢと前記干渉ＵＥとに関係するネットワークシグナリングを監視することを含むコンピュータ読取可能記憶媒体。
【請求項５５】
ワイヤレス通信のための装置において、
少なくとも１つのプロセッサと、
前記少なくとも１つのプロセッサに結合されているメモリとを具備し、
前記少なくとも１つのプロセッサは、
ｅノードＢ（ｅＮＢ）において、少なくとも１つの隣接するｅＮＢと、干渉ユーザ機器（ＵＥ）とを識別する１つ以上の半静的パラメータを取得し、
前記ｅＮＢにおいて、前記１つ以上の半静的パラメータに基づいてブラインド干渉低減スキームを適用して、前記干渉ＵＥからの信号を低減させるように構成されており、
前記少なくとも１つの隣接するｅＮＢと前記干渉ＵＥは、前記ｅＮＢのセルのすぐ隣のセル中にまたは前記ｅＮＢのセルとオーバーラップするセル中に位置している装置。
【請求項５６】
前記１つ以上の半静的パラメータは、
ｅＮＢセルＩＤ；
前記干渉ＵＥのネットワーク識別子； 
前記干渉ＵＥのリソースＩＤ；または、
それらの組み合わせ、のうちの１つ以上を含む請求項５５記載の装置。
【請求項５７】
ペイロードサイズ；
前記干渉ＵＥが、サブフレーム中で制御ＣＱＩを送っているか否か；または、
それらの組み合わせ、のうちの１つ以上が既知ではない請求項５６記載の装置。
【請求項５８】
前記ｅＮＢセルＩＤを使用して検出されるルーツシーケンス；
前記干渉ＵＥのリソースＩＤを使用して検出される無線ベアラ位置；
前記ｅＮＢセルＩＤと、前記干渉ＵＥのリソースＩＤとを使用して検出される、局所的周波数分割多重化シンボルごとの循環シフトインデックス；
前記ｅＮＢセルＩＤと、前記干渉ＵＥのネットワーク識別子とを使用して検出される、スクランブリングシーケンス；または、
それらの組み合わせ、のうちの１つ以上が前記１つ以上の半静的パラメータから導出される請求項５６記載の装置。
【請求項５９】
前記１つ以上の半静的パラメータは、ｅＮＢセルＩＤと、前記干渉ＵＥのネットワーク識別子とを含む請求項５５記載の装置。
【請求項６０】
ペイロードサイズ；
局所的周波数分割多重化シンボルごとの循環シフトインデックス；
前記干渉ＵＥが、サブフレーム中で制御ＣＱＩを送っているか否か；または、
それらの組み合わせ、のうちの１つ以上が既知ではない請求項５９記載の装置。
【請求項６１】
前記ｅＮＢセルＩＤを使用して検出されるルーツシーケンス；
前記ｅＮＢセルＩＤにより検出される、サブフレーム中の各局所的周波数分割多重化シンボルに対する共通シフトオフセット；
前記ｅＮＢセルＩＤと、前記干渉ＵＥのネットワーク識別子とを使用して検出されるスクランブリングシーケンス；または、
それらの組み合わせ、のうちの１つ以上が、前記１つ以上の半静的パラメータから導出される請求項５９記載の装置。
【請求項６２】
前記１つ以上の半静的パラメータは、ｅＮＢセルＩＤを含む請求項５５記載の装置。
【請求項６３】
ペイロードサイズ；
局所的周波数分割多重化シンボルごとの循環シフトインデックス；
前記干渉ＵＥが、サブフレーム中で制御ＣＱＩを送っているか否か；
スクランブリングシーケンス；または、
それらの組み合わせ、のうちの１つ以上が既知ではない請求項６２記載の装置。
【請求項６４】
前記ｅＮＢセルＩＤを使用して検出されるルーツシーケンス；
前記ｅＮＢセルＩＤにより検出される、サブフレーム中の各局所的周波数分割多重化シンボルに対する共通シフトオフセット；または、
それらの組み合わせ、のうちの１つ以上が、前記１つ以上の半静的パラメータから導出される請求項６２記載の装置。
【請求項６５】
ワイヤレス通信のための装置において、
少なくとも１つのプロセッサと、
前記少なくとも１つのプロセッサに結合されているメモリとを具備し、
前記少なくとも１つのプロセッサは、
ｅノードＢ（ｅＮＢ）において、少なくとも１つの隣接するｅＮＢと、干渉ユーザ機器（ＵＥ）とを識別する１つ以上の半静的パラメータを取得し、
前記ｅＮＢにおいて、前記１つ以上の半静的パラメータに基づいてブラインド干渉低減スキームを適用して、前記干渉ＵＥからの信号を低減させるように構成されており、
前記少なくとも１つの隣接するｅＮＢと前記干渉ＵＥは、前記ｅＮＢのセルのすぐ隣のセル中にまたは前記ｅＮＢのセルとオーバーラップするセル中に位置しており、
ブラインド干渉低減スキームを適用するために、前記少なくとも１つのプロセッサは、
前記少なくとも１つの隣接するｅＮＢの干渉低減順序を識別し、
最大ペイロードサイズを仮定して、前記干渉ＵＥからの受信信号をデコードし、
前記デコードした信号から、前記干渉ＵＥの送信信号を再構築し、
前記再構築した送信信号中で不連続的な送信を検出するように構成されていることにより、前記干渉低減順序にしたがって前記少なくとも１つの隣接するｅＮＢを処理するように構成されている装置。
【請求項６６】
前記少なくとも１つの隣接するｅＮＢの前記干渉低減順序を識別するために、前記少なくとも１つのプロセッサは、
隣接するｅＮＢが前記干渉ＵＥから観測する平均ノイズを推定し、
前記推定した平均ノイズにしたがって前記隣接するｅＮＢを順序付けることにより、前記ブラインド干渉低減の順序を生成させるように構成されている請求項６５記載の装置。
【請求項６７】
前記再構築した送信信号中で不連続的な送信を検出するために、前記少なくとも１つのプロセッサは、
受信信号から、前記再構築した送信信号を除去することにより、残余信号を生成させ、
前記受信信号のエネルギーと前記残余信号のエネルギーとを計算し、
前記受信信号エネルギー対前記残余信号エネルギーの比を計算し、
前記比をしきい値と比較し、
前記比が前記しきい値よりも上である場合に、不連続的な送信を宣言するように構成されている請求項６５記載の装置。
【請求項６８】
ワイヤレス通信のための装置において、
少なくとも１つのプロセッサと、
前記少なくとも１つのプロセッサに結合されているメモリとを具備し、
前記少なくとも１つのプロセッサは、
ｅノードＢ（ｅＮＢ）において、少なくとも１つの隣接するｅＮＢと、干渉ユーザ機器（ＵＥ）とを識別する１つ以上の半静的パラメータを取得し、
前記ｅＮＢにおいて、前記１つ以上の半静的パラメータに基づいてブラインド干渉低減スキームを適用して、前記干渉ＵＥからの信号を低減させるように構成されており、
前記少なくとも１つの隣接するｅＮＢと前記干渉ＵＥは、前記ｅＮＢのセルのすぐ隣のセル中にまたは前記ｅＮＢのセルとオーバーラップするセル中に位置しており、
前記１つ以上の半静的パラメータは、ｅＮＢセルＩＤと、前記干渉ＵＥのネットワーク識別子とを含み、
ブラインド干渉低減スキームを適用するために、前記少なくとも１つのプロセッサは、
前記干渉ＵＥのリソースＩＤを決定し、
前記少なくとも１つの隣接するｅＮＢの干渉低減順序を識別し、
前記干渉ＵＥからの信号をデコードし、
前記干渉ＵＥの送信信号を再構築し、
前記再構築した信号から不連続的な送信を検出するように構成されている装置。
【請求項６９】
前記干渉ＵＥのリソースＩＤを決定するために、前記少なくとも１つのプロセッサは、
複数の可能性ある循環シフトインデックスのそれぞれに対して、前記干渉ＵＥに対する平均ノイズを推定し、
それらのノイズレベルにしたがって前記ノイズ推定を順序付けし、
最低ノイズレベル推定を表す循環シフトインデックスを前記干渉ＵＥに割り当てるように構成されている請求項６８記載の装置。
【請求項７０】
前記干渉ＵＥからの信号をデコードするために、前記少なくとも１つのプロセッサは、
１つ以上の干渉ＵＥが存在するか否かを決定し、
単一の干渉ＵＥが存在する場合に、
最大ペイロードサイズを予め定められた数に等しく設定し、
前記最大ペイロードサイズを使用して、前記干渉ＵＥからの信号をデコードするように、または、
１つより多い干渉ＵＥが存在する場合に、
複数の既知のスクランブリングコードを使用して、前記各干渉ＵＥの信号をデコードし、
前記デコーディングの間に相関を計算し、
前記相関の最大数に対応する前記デコードした信号を選択するように構成されている請求項６８記載の装置。
【請求項７１】
ワイヤレス通信のための装置において、
少なくとも１つのプロセッサと、
前記少なくとも１つのプロセッサに結合されているメモリとを具備し、
前記少なくとも１つのプロセッサは、
ｅノードＢ（ｅＮＢ）において、少なくとも１つの隣接するｅＮＢと、干渉ユーザ機器（ＵＥ）とを識別する１つ以上の半静的パラメータを取得し、
前記ｅＮＢにおいて、前記１つ以上の半静的パラメータに基づいてブラインド干渉低減スキームを適用して、前記干渉ＵＥからの信号を低減させるように構成されており、
前記少なくとも１つの隣接するｅＮＢと前記干渉ＵＥは、前記ｅＮＢのセルのすぐ隣のセル中にまたは前記ｅＮＢのセルとオーバーラップするセル中に位置しており、
前記１つ以上の半静的パラメータは、ｅＮＢセルＩＤを含み、
ブラインド干渉低減スキームを適用するために、前記少なくとも１つのプロセッサは、
前記少なくとも１つの隣接するｅＮＢの干渉低減順序を識別し、
対数尤度比を使用して、干渉ＵＥの信号をデコードし、
前記デコードした信号から、前記干渉ＵＥの送信信号を再構築して、再構築した信号を形成し、
前記再構築した信号から不連続的な送信を検出するように構成されている装置。
【請求項７２】
ワイヤレス通信のための装置において、
少なくとも１つのプロセッサと、
前記少なくとも１つのプロセッサに結合されているメモリとを具備し、
前記少なくとも１つのプロセッサは、
ｅノードＢ（ｅＮＢ）において、少なくとも１つの隣接するｅＮＢと、干渉ユーザ機器（ＵＥ）とを識別する１つ以上の半静的パラメータを取得し、
前記ｅＮＢにおいて、前記１つ以上の半静的パラメータに基づいてブラインド干渉低減スキームを適用して、前記干渉ＵＥからの信号を低減させるように構成されており、
前記少なくとも１つの隣接するｅＮＢと前記干渉ＵＥは、前記ｅＮＢのセルのすぐ隣のセル中にまたは前記ｅＮＢのセルとオーバーラップするセル中に位置しており、
前記少なくとも１つのプロセッサは、
前記１つ以上の半静的パラメータを検出すること；
バックホールを通して、前記１つ以上の半静的パラメータを受信すること；または、
前記ｅＮＢに関係するＵＥからの報告を通して、前記１つ以上の半静的パラメータを受信すること、のうちの少なくとも１つにより、前記１つ以上の半静的パラメータを取得し、
前記検出することは、前記少なくとも１つの隣接するｅＮＢと前記干渉ＵＥとに関係するネットワークシグナリングを監視することを含む装置。
【発明の詳細な説明】
【関連出願への相互参照】
【０００１】
本出願は、“ブラインド干渉消去技術”と題し、２００９年７月２９日に出願され、ここでの参照によりその全体が明確に組み込まれている米国仮出願シリアル番号６１／２２９，６９９の利益を主張する。
【分野】
【０００２】
本開示は、一般的に、通信システムに関連し、さらに詳細には、干渉減少／消去の技術、および、干渉減少／消去のブラインド技術に関連している。
【背景】
【０００３】
ワイヤレス通信システムは、電話、ビデオ、データ、メッセージング、ブロードキャストのような、さまざまな電気通信サービスを提供するために広く採用されている。典型的なワイヤレス通信システムは、利用可能なシステムリソース（例えば、帯域幅、送信電力）を共有することにより、複数のユーザとの通信をサポートすることが可能な多元接続技術を用いることがある。このような多元接続技術の例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波周波数分割多元接続（ＳＣ−ＦＤＭＡ）システム、時分割同期コード分割多元接続（ＴＤ−ＳＣＤＭＡ）システムを含む。
【０００４】
これらの多元接続技術は、異なるワイヤレスデバイスが、都市レベルで、国レベルで、領域レベルで、それどころか地球規模レベルで通信することを可能にする共通のプロトコルを提供するために、さまざまな電気通信標準規格中で採用されている。新興電気通信標準規格の例は、ロングタームエボリューション（ＬＴＥ）である。ＬＴＥは、第３世代パートナーシッププロジェクト（３ＧＰＰ）により公表されたユニバーサルモバイルテレコミュニケーションシステム（ＵＭＴＳ）移動体標準規格に対する１組の拡張である。ＬＴＥは、スペクトル効率を改善させることにより移動体ブロードバンドインターネットアクセスをより良くサポートし、コストを削減し、サービスを改善し、新たなスペクトルを利用して、ダウンリンク（ＤＬ）上でのＯＦＤＭＡと、アップリンク（ＵＬ）上でのＳＣ−ＦＤＭＡと、複数入力複数出力（ＭＩＭＯ）アンテナ技術とを利用する他のオープンな標準規格により良く一体化するように設計されている。しかしながら、移動体ブロードバンドアクセスへの需要は増加し続けるので、ＬＴＥ技術におけるさらなる改良の必要性が存在する。好ましくは、これらの改良は、他のマルチアクセス技術、および、これらの技術を用いる電気通信標準規格に適用可能であるべきである。
【概要】
【０００５】
以下のものは、このような態様の基本的な理解を提供するために、請求項に記載した主題項目のさまざまな態様の簡略化した概要を提示する。この概要は、すべての考えられる態様の広範囲にわたる概略ではなく、すべての態様のキーエレメントまたは重要なエレメントを識別することや、このような態様の範囲を線引きすることのどちらも意図していない。この唯一の目的は、後に提示するさらに詳細な説明に対する前置きとして、開示した態様のうちのいくつかの概念を、簡略化した形態で提示することである。
【０００６】
１つ以上の態様およびその対応する開示にしたがって、ワイヤレス通信をサポートすることに関連して、さまざまな態様を記述する。ある態様にしたがって、ワイヤレス通信の方法を提供する。方法は、ｅノードＢ（ｅＮＢ）において、少なくとも１つの隣接するｅＮＢと、干渉ユーザ機器（ＵＥ）とに関係する１つ以上の半静的パラメータを検出することを含む。さらに、方法は、１つ以上の検出した半静的パラメータに基づいてブラインド干渉低減スキームを適用することによって、干渉ＵＥにより発生された信号から、信号干渉を低減させることを含む。
【０００７】
また別の態様は、装置に関連する。装置は、ｅＮＢにおいて、少なくとも１つの隣接するｅＮＢと、干渉ＵＥとに関係する１つ以上の半静的パラメータを検出する手段を具備する。装置は、１つ以上の検出した半静的パラメータに基づいてブラインド干渉低減スキームを適用することによって、干渉ＵＥにより発生された信号から、信号干渉を低減させる手段をさらに具備する。
【０００８】
別の態様は、コンピュータ読取可能媒体を含むコンピュータプログラムプロダクトに関連する。コンピュータ読取可能媒体は、ｅＮＢにおいて、少なくとも１つの隣接するｅＮＢと、干渉ＵＥとに関係する１つ以上の半静的パラメータを検出するためのコードを有する。さらに、コンピュータ読取可能媒体は、１つ以上の検出した半静的パラメータに基づいてブラインド干渉低減スキームを適用することによって、干渉ＵＥにより発生された信号から、信号干渉を低減させるためのコードを有する。
【０００９】
別の態様は、ワイヤレス通信のための装置に関連する。装置は、少なくとも１つのプロセッサと、少なくとも１つのプロセッサに結合されているメモリとを具備する。少なくとも１つのプロセッサは、ｅＮＢにおいて、少なくとも１つの隣接するｅＮＢと、干渉ＵＥとに関係する１つ以上の半静的パラメータを検出するように構成されている。装置は、１つ以上の検出した半静的パラメータに基づいてブラインド干渉低減スキームを適用して、干渉ＵＥからの信号を低減させる。
【００１０】
先の目的および関連する目的を達成するために、１つ以上の態様は、後に完全に記述する特徴、および、特許請求の範囲中で特に指摘する特徴を含んでいる。以下の記述および添付した図面により、１つ以上の態様のうちのある例示的な特徴を詳細に述べる。これらの特徴は、さまざまな態様の原理を用いることができるさまざまな方法のうちのいくつかだけを示しているが、この説明は、このようなすべての態様およびそれらの均等物を含むことを意図している。
【図面の簡単な説明】
【００１１】
【図１】図１は、処理システムを用いる装置のためのハードウェアインプリメンテーションの例を図示しているダイヤグラムである。
【図２】図２は、ネットワークアーキテクチャの例を図示しているダイヤグラムである。
【図３】図３は、アクセスネットワークの例を図示しているダイヤグラムである。
【図４】図４は、アクセスネットワークにおける使用のためのフレーム構造の例を図示しているダイヤグラムである。
【図５】図５は、ＬＴＥにおけるＵＬに対する例示的なフォーマットを示している。
【図６】図６は、ユーザプレーンおよび制御プレーンに対する無線プロトコルアーキテクチャの例を図示しているダイヤグラムである。
【図７】図７は、アクセスネットワークにおける、進化ノードＢとユーザ機器との例を図示しているダイヤグラムである。
【図８】図８は、ネットワーク環境内で、１つ以上のフェムトノードが用いられる例示的な通信システムを図示している。
【図９】図９は、いくつかの追跡エリアが規定されており、いくつかの追跡エリアのそれぞれが、いくつかのマクロカバレッジエリアを含むカバレッジマップの例を図示している。
【図１０】図１０は、ある態様にしたがった、干渉低減システムの例示的なブロックダイヤグラムを図示している。
【図１１】図１１は、ワイヤレス通信の方法のフローチャートである。
【図１２】図１２は、例示的な装置の機能性を図示している概念的なブロックダイヤグラムである。
【図１３】図１３は、ある態様にしたがった、ブラインド干渉低減スキームのインプリメンテーションのフローチャートである。
【図１４】図１４は、ある態様にしたがった、ブラインド干渉低減スキームの別のインプリメンテーションのフローチャートである。
【図１５】図１５は、ある態様にしたがった、ブラインド干渉低減スキームのまた別のインプリメンテーションのフローチャートである。
【詳細な説明】
【００１２】
添付した図面に関連して下記に述べられている詳細な説明は、さまざまなコンフィギュレーションの説明として意図しており、ここに記述した概念を実施できる唯一のコンフィギュレーションを表すことを意図していない。詳細な説明は、さまざまな概念の完全な理解を提供する目的のために特有な詳細を含んでいる。しかしながら、これらの概念をこれらの特有な詳細なしで実施できることは、当業者にとって明らかであるだろう。いくつかの事例では、このような概念を曖昧にすることを避けるために、よく知られている構造およびコンポーネントをブロックダイヤグラムの形態で示している。
【００１３】
さまざまな装置および方法を参照して、電気通信システムのいくつかの態様をこれから提示する。これらの装置および方法を、（集合的には“エレメント”と呼ばれる）さまざまなブロック、モジュール、コンポーネント、回路、ステップ、処理、アルゴリズム等により、以下の詳細な説明において説明し、添付した図面において図示している。これらのエレメントは、電子ハードウェア、コンピュータソフトウェア、またはこれらの何らかの組み合わせを使用して実現できる。このようなエレメントを、ハードウェアとして、または、ソフトウェアとして実現するか否かは、特定のアプリケーションとシステム全体に課せられる設計の制約とに依存している。
【００１４】
例として、エレメントまたはエレメントの何らかの部分、あるいは、エレメントの何らかの組み合わせを、１つ以上のプロセッサを備える“処理システム”により実現できる。プロセッサの例は、マイクロプロセッサ、マイクロ制御装置、デジタル信号プロセッサ（ＤＳＰ）、現場プログラム可能ゲートアレイ（ＦＰＧＡ）、プログラム可能論理デバイス（ＰＬＤ）、状態機械、ゲート論理、ディスクリートハードウェア回路、および、本開示全体を通して記述したさまざまな機能性を実行するように構成されている他の適切なハードウェアを含む。処理システム中の１つ以上のプロセッサは、ソフトウェアを実行できる。ソフトウェアは、ソフトウェア、ファームウェア、ミドルウェア、マイクロコード、ハードウェア記述言語、またはその他のものとして言及されるかに関わらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行のスレッド、手順、関数等を意味するように広く解釈されるものである。ソフトウェアは、コンピュータ読取可能媒体上に存在することができる。コンピュータ読取可能媒体は、例として、磁気記憶デバイス（例えば、ハードディスク、フロッピー（登録商標）ディスク、磁気ストライプ）、光ディスク（例えば、コンパクトディスク（ＣＤ）、デジタル汎用性ディスク（ＤＶＤ））、スマートカード、フラッシュメモリデバイス（例えば、カード、スティック、キードライブ）、ランダムアクセスメモリ（ＲＡＭ）、リードオンリーメモリ（ＲＯＭ）、プログラム可能ＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、搬送波、伝送路、ならびに、ソフトウェアを記憶または送信する他の何らかの適切な媒体を含むことができる。コンピュータ読取可能媒体は、処理システム中に内在させることができ、処理システムの外部にすることができ、または、処理システムを含む複数のエンティティにわたって分散させることができる。コンピュータ読取可能媒体は、コンピュータプログラムプロダクト中で具現化することができる。例として、コンピュータプログラムプロダクトは、パッケージングマテリアル中のコンピュータ読取可能媒体を含むことができる。特定のアプリケーションと、システム全体に課せられる全体的な設計の制約とに依存して、本開示全体を通して提示し、記述した機能性をどのように実現することが最良であるかを、当業者は認識するだろう。
【００１５】
図１は、処理システム１１４を用いる装置１００に対するハードウェアインプリメンテーションの例を図示している概念図である。この例では、処理システム１１４は、一般的にバス１０２により表されている、バスアーキテクチャで実現することができる。バス１０２は、処理システム１１４の特有なアプリケーションと全体的な設計の制約とに依存して、任意の数の相互接続しているバスとブリッジとを含んでもよい。バス１０２は、一般的にプロセッサ１０４により表されている、１つ以上のプロセッサと、一般的にコンピュータ読取可能媒体１０６により表されている、コンピュータ読取可能媒体とを含むさまざまな回路を一緒にリンクさせる。バス１０２はまた、タイミングソース、周辺装置、電圧レギュレータ、および電力管理回路のような、他のさまざまな回路をリンクさせる。これらの他のさまざまな回路は、技術的によく知られており、それゆえ、これ以上記述しない。バスインターフェース１０８は、バス１０２とトランシーバ１１０との間のインターフェースを提供する。トランシーバ１１０は、伝送媒体を通して、他のさまざまな装置と通信する手段を提供する。装置の性質に依存して、ユーザインターフェース１１２（例えば、キーパッド、ディスプレイ、スピーカー、マイクロフォン、ジョイスティック）を提供することもできる。
【００１６】
プロセッサ１０４は、バス１０２と、コンピュータ読取可能媒体１０６上に記憶されているソフトウェアの実行を含む一般的な処理とを管理することを担当する。ソフトウェアは、プロセッサ１０４により実行されるとき、任意の特定の装置に対して下記に記述したさまざまな機能を処理システム１１４に実行させる。ソフトウェアを実行するときに、プロセッサ１０４により操作されるデータを記憶するために、コンピュータ読取可能媒体１０６も使用してもよい。
【００１７】
図２は、さまざまな装置１００（図１参照）を用いるＬＴＥネットワークアーキテクチャ２００を図示しているダイヤグラムである。ＬＴＥネットワークアーキテクチャ２００は、進化したパケットシステム（ＥＰＳ）２００として呼ばれることがある。ＥＰＳ２００は、１つ以上のＵＥ２０２と、進化ＵＭＴＳ地上無線アクセスネットワーク（Ｅ−ＵＴＲＡＮ）２０４と、進化したパケットコア（ＥＰＣ）２１０と、ホーム加入者サーバ（ＨＳＳ）２２０と、運営者のＩＰサービス２２２とを含んでいてもよい。ＥＰＳは、他のアクセスネットワークに相互接続できるが、簡略化のために、それらのエンティティ／インターフェースは示されていない。示されているように、ＥＰＳは、パケット交換サービスを提供するが、当業者が容易に正しく認識するように、本開示全体を通して提示されるさまざま概念は、回線交換サービスを提供するネットワークに対して拡張してもよい。
【００１８】
Ｅ−ＵＴＲＡＮは、ｅＮＢ２０６および他のｅＮＢ２０８を含む。ｅＮＢ２０６は、ユーザプレーンおよび制御プレーンのプロトコルターミネーションをＵＥ２０２に向けて提供する。ｅＮＢ２０６は、Ｘ２インターフェース（すなわち、バックホール）を通して他のｅＮＢ２０８に結合してもよい。ｅＮＢ２０６はまた、当業者により、基地局、基地トランシーバ局、無線基地局、無線トランシーバ、トランシーバ機能、ベーシックサービスセット（ＢＳＳ）、拡張サービスセット（ＥＳＳ）、または他の何らかの適切な専門用語として呼ばれることがある。ｅＮＢ２０６は、ＵＥ２０２に対して、ＥＰＣ２１０へのアクセスポイントを提供する。ＵＥ２０２の例は、セルラ電話機、スマートフォン、セッション開始プロトコル（ＳＩＰ）電話機、ラップトップ、パーソナルデジタルアシスタント（ＰＤＡ）、衛星無線、グローバルポジショニングシステム、マルチメディアデバイス、ビデオデバイス、デジタルオーディオプレーヤー（例えば、ＭＰ３プレーヤー）、カメラ、ゲームコンソール、または他の何らかの類似した機能デバイスを含む。ＵＥ２０２はまた、当業者により、移動局、加入者局、移動体ユニット、加入者ユニット、ワイヤレスユニット、遠隔ユニット、移動体デバイス、ワイヤレスデバイス、ワイヤレス通信デバイス、遠隔デバイス、移動体加入者局、アクセス端末、移動体端末、ワイヤレス端末、遠隔端末、ハンドセット、ユーザエージェント、移動体クライアント、クライアント、または他の何らかの適切な専門用語として呼ばれることがある。
【００１９】
ｅＮＢ２０６は、Ｓ１インターフェースによりＥＰＣ２１０に接続されている。ＥＰＣ２１０は、移動性管理エンティティ（ＭＭＥ）２１２と、他のＭＭＥ２１４と、担当ゲートウェイ２１６と、パケットデータネットワーク（ＰＤＮ）ゲートウェイ２１８とを含む。ＭＭＥ２１２は、ＵＥ２０２とＥＰＣ２１０との間のシグナリングを処理する制御ノードである。一般的に、ＭＭＥ２１２は、ベアラおよび接続の管理を提供する。すべてのユーザＩＰパケットは、担当ゲートウェイ２１６を通して転送され、担当ゲートウェイ２１６は、ＰＤＮゲートウェイ２１８に接続されている。ＰＤＮゲートウェイ２１８は、ＩＰアドレス割り振りとともに他の機能をＵＥに提供する。ＰＤＮゲートウェイ２１８は、運営者のＩＰサービス２２２に接続されている。運営者のＩＰサービス２２２は、インターネットと、イントラネットと、ＩＰマルチメディアサブシステム（ＩＭＳ）と、ＰＳストリーミングサービス（ＰＳＳ）とを含む。
【００２０】
図３は、ＬＴＥネットワークアーキテクチャにおけるアクセスネットワークの例を図示しているダイヤグラムである。この例では、アクセスネットワーク３００は、多数のセルラ領域（セル）３０２に分割されている。１つ以上のより低い電力クラスのｅＮＢ３０８、３１２はそれぞれ、セルラ領域３１０、３１４を有していてもよく、セルラ領域３１０、３１４は、１つ以上のセル３０２とオーバーラップする。より低い電力クラスのｅＮＢ３０８、３１２は、フェムトセル（例えば、ホームｅＮＢ（ＨｅＮＢ））、ピコセル、またはマクロセルであってもよい。より高い電力クラスまたはマクロｅＮＢ３０４は、セル３０２に割り当てられており、セル３０２中のすべてのＵＥ３０６に対して、ＥＰＣ２１０へのアクセスポイントを提供するように構成されている。アクセスネットワーク３００のこの例では、集中制御装置が存在しないが、代替的なコンフィギュレーションにおいて集中制御装置を使用してもよい。ｅＮＢ３０４は、担当ゲートウェイ２１６（図２参照）に対する、無線ベアラ制御、アドミッション制御、移動性制御、スケジューリング、セキュリティ、接続性を含む、すべての無線関連機能を担当する。
【００２１】
アクセスネットワーク３００により用いられる変調および多元接続スキームは、採用される特定の電気通信標準規格に依存して、変化してもよい。ＬＴＥアプリケーションでは、周波数分割多重化（ＦＤＤ）と時分割多重化（ＴＤＤ）との双方をサポートするために、ＤＬ上でＯＦＤＭを使用して、ＵＬ上でＳＣ−ＦＤＭＡを使用する。当業者は、後に続く詳細な説明から、ここで提示したさまざまな概念がＬＴＥアプリケーションに十分に適していることを容易に正しく認識するだろう。しかしながら、これらの概念は、他の変調および多元接続の技術を用いる他の電気通信標準規格に容易に拡張することができる。例として、これらの概念は、進化データ最適化（ＥＶ−ＤＯ）またはウルトラモバイルブロードバンド（ＵＭＢ）に拡張することができる。ＥＶ−ＤＯおよびＵＭＢは、標準規格のＣＤＭＡ２０００ファミリの一部として、第３世代パートナーズシッププロジェクト２（３ＧＰＰ２）により公表されたエアインターフェース標準規格であり、ＣＤＭＡを用いて、ブロードバンドインターネットアクセスを移動局に提供する。これらの概念は、ワイドバンドＣＤＭＡ（Ｗ−ＣＤＭＡ）と、ＴＤ−ＳＣＤＭＡのような他のＣＤＭＡの変形とを用いるユニバーサル地上無線アクセス（ＵＴＲＡ）や、ＴＤＭＡを用いるグローバルシステムフォーモバイルコミュニケーション（ＧＳＭ（登録商標））や、ＯＦＤＭＡを用いる、進化ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、およびフラッシュＯＦＤＭにも拡張することができる。ＵＴＲＡ、Ｅ−ＵＴＲＡ、ＵＭＴＳ、ＬＴＥ、およびＧＳＭは、３ＧＰＰ機関からの文書中に記載されている。ＣＤＭＡ２０００およびＵＭＢは、３ＧＰＰ２機関からの文書中に記載されている。実際のワイヤレス通信標準規格、および、用いられる多元接続技術は、特有なアプリケーションと、システム上に課せられる全体的な設計の制約とに依存するだろう。
【００２２】
ｅＮＢ３０４は、ＭＩＭＯ技術をサポートする複数のアンテナを有していてもよい。ＭＩＭＯ技術の使用により、ｅＮＢ３０４が、空間ドメインを活用して、空間多重化と、ビーム形成と、送信ダイバーシティとをサポートすることが可能になる。
【００２３】
同一の周波数上で、データの異なるストリームを同時に送信するために、空間多重化を使用してもよい。データストリームを単一のＵＥ３０６に送信して、データレートを増加させてもよく、または、データストリームを複数のＵＥ３０６に送信して、全体的なシステムの容量を増加させてもよい。各データストリームを空間的に予めコード化して、各空間的に予めコード化したストリームを、ダウンリンク上の異なる送信アンテナを通して送信することにより、これを達成する。空間的に予めコード化したデータストリームは、異なる空間シグネチャでＵＥ３０６に到達し、これにより、ＵＥ３０６のそれぞれが、そのＵＥ３０６に宛てられている１つ以上のデータストリームを復元できるようになる。アップリンク上において、各ＵＥ３０６は、空間的に予めコード化したデータストリームを送信し、これにより、ｅＮＢ３０４が、各空間的に予めコード化されたデータストリームの発信元を識別できるようになる。
【００２４】
空間多重化は、一般的に、チャネル条件が良いときに使用される。チャネル条件が好適なものを満たさないときに、ビーム形成を使用して、送信エネルギーを１つ以上の方向に集中させてもよい。複数のアンテナを通して送信するために、データを空間的に予めコード化することにより、これを達成してもよい。セルの端において良いカバレッジを達成するために、単一のストリームビーム形成送信を、送信ダイバーシティと組み合わせて使用してもよい。
【００２５】
後に続く詳細な説明において、ダウンリンク上でＯＦＤＭをサポートするＭＩＭＯシステムを参照して、アクセスネットワークのさまざまな態様を記述する。ＯＦＤＭは、ＯＦＤＭシンボル内の多数の副搬送波に対してデータを変調するスペクトル拡散技術である。副搬送波は、精密な周波数だけスペースが空けられている。スペーシングは、受信機が副搬送波からデータを復元することを可能にする“直交性”を提供する。時間ドメインにおいて、各ＯＦＤＭシンボルにガード間隔（例えば、循環プリフィックス）を付加して、ＯＦＤＭシンボル間の干渉を抑制してもよい。アップリンクは、ＤＦＴ拡散ＯＦＤＭ信号の形態でＳＣ−ＦＤＭＡを使用して、高いピーク対平均電力比（ＰＡＲＲ）を補償してもよい。
【００２６】
さまざまなフレーム構造を使用して、ＤＬおよびＵＬ送信をサポートしてもよい。図４を参照して、ＤＬフレーム構造の例をこれから提示する。しかしながら、当業者が容易に正しく認識するように、何らかの特定のアプリケーションに対するフレーム構造は、任意の数の要因に依存して異なっていてもよい。この例では、フレーム（１０ｍｓ）が、１０個の等しいサイズのサブフレームに分割されている。各サブフレームは、２個の連続するタイムスロットを含む。
【００２７】
２個のタイムスロットを表すために、リソースグリッドを使用してもよく、それぞれのタイムスロットは、リソースブロックを含む。リソースグリッドは、複数のリソースエレメントに分割されている。ＬＴＥでは、リソースブロックは、周波数ドメインにおける１２個の連続する副搬送波と、各ＯＦＤＭシンボル中の通常循環プリフィックスに対して、時間ドメインにおける７個の連続するＯＦＤＭシンボルと、すなわち８４個のリソースエレメントを含む。しかしながら、グリッドは、周波数ドメインにおける１２個の連続する副搬送波と、時間ドメインにおける７個の連続するＯＦＤＭシンボルとに限定されないことを正しく認識されるだろう。例えば、時間ドメインは、３個または６個のシンボル、あるいは、任意の適用可能な数のシンボルを含んでいてもよい。Ｒ ４０２、４０４として示されているような、リソースエレメントのいくつかは、ＤＬ基準信号（ＤＬ−ＲＳ）を含む。ＤＬ−ＲＳは、セル特有なＲＳ（ＣＲＳ）（または、時には共通ＲＳと呼ばれる）４０２と、ＵＥ特有なＲＳ（ＵＥ−ＲＳ）４０４とを含む。ＵＥ−ＲＳ４０４は、対応する物理ダウンリンク共有チャネル（ＰＤＳＣＨ）がマッピングされているリソースブロック上でのみ送信される。各リソースエレメントにより運ばれるビットの数は、変調スキームに依存する。したがって、ＵＥがリソースブロックを受信すればするほど、および、変調スキームが高ければ高いほど、ＵＥに対するデータレートが高くなる。
【００２８】
図５を参照して、ＵＬフレーム構造５００の例をこれから提示する。図５は、ＬＴＥにおけるＵＬに対する例示的なフォーマットを示している。ＵＬに対して利用可能なリソースブロックは、データセクションと制御セクションとに区分されていてもよい。制御セクションは、システム帯域幅の２つの端において形成されていてもよく、構成可能なサイズを有していてもよい。制御セクションのリソースブロックは、制御情報の送信のために、ＵＥに割り当てられていてもよい。データセクションは、制御セクション中に含まれていないすべてのリソースブロックを含んでいてもよい。図５中の設計は、結果として、連続的な副搬送波を含むデータセクションとなり、これにより、データセクション中の連続的な副搬送波のすべてを単一のＵＥに割り当てることが可能になる。
【００２９】
ｅＮＢに制御情報を送信するために、制御セクション中のリソースブロック５１０ａ、５１０ｂをＵＥに割り振ってもよい。また、ｅＮＢにデータを送信するために、データセクション中のリソースブロック５２０ａ、５２０ｂをＵＥに割り振ってもよい。ＵＥは、制御セクション中の割り当てられたリソースブロック上における物理アップリンク制御チャネル（ＰＵＣＣＨ）中で、制御情報を送信してもよい。ＵＥは、データセクション中の割り当てられたリソースブロック上における物理アップリンク共有チャネル（ＰＵＳＣＨ）中で、データのみ、または、データと制御情報との双方を送信してもよい。図５中に示されているように、ＵＬ送信は、サブフレームの双方のスロットにまたがってもよく、周波数にわたってホッピングしていてもよい。
【００３０】
図５中で示されているように、リソースブロックのセットを使用して、初期のシステムアクセスを実行し、物理ランダムアクセスチャネル（ＰＲＡＣＨ）５３０中のＵＬ同期化を達成してもよい。ＰＲＡＣＨ５３０は、ランダムシーケンスを運び、何らかのＵＬデータ／シグナリングを運ぶことはできない。各ランダムアクセスプリアンブルは、６個の連続するリソースブロックに対応する帯域幅を占有する。開始周波数は、ネットワークにより指定されている。つまり、ランダムアクセスプリアンブル送信は、特定の時間および周波数リソースに制限されている。ＰＲＡＣＨに対する周波数ホッピングは存在しない。単一のサブフレーム（１ｍｓ）中でＰＲＡＣＨ試行が運ばれ、ＵＥは、フレーム（１０ｍｓ）ごとに単一のＰＲＡＣＨ試行のみを行うことができる。
【００３１】
ＬＴＥにおける、ＰＵＣＣＨ、ＰＵＳＣＨ、およびＰＲＡＣＨは、公的に利用可能である、“進化ユニバーサル地上無線アクセス（Ｅ−ＵＴＲＡ）；物理チャネルおよび変調”と題する３ＧＰＰ ＴＳ ３６．２１１中に記載されている。
【００３２】
無線プロトコルアーキテクチャは、特定のアプリケーションに基づいて、さまざまな形態をとってもよい。図６を参照して、ＬＴＥシステムに対する例をこれから提示する。図６は、ユーザプレーンと制御プレーンとに対する無線プロトコルアーキテクチャの例を図示している概念図である。
【００３３】
図６に目を向けると、ＵＥおよびｅＮＢに対する無線プロトコルアーキテクチャが、３つのレイヤ：レイヤ１、レイヤ２、およびレイヤ３により示されている。レイヤ１は、最下位レイヤであり、さまざまな物理レイヤ信号処理機能を実現する。レイヤ１は、ここでは物理レイヤ６０６と呼ばれるだろう。レイヤ２（Ｌ２レイヤ）６０８は、物理レイヤ６０６より上にあり、物理レイヤ６０６を通してのＵＥとｅＮＢとの間のリンクを担当する。
【００３４】
ユーザプレーンでは、Ｌ２レイヤ６０８は、メディアアクセス制御（ＭＡＣ）サブレイヤ６１０と、無線リンク制御（ＲＬＣ）サブレイヤ６１２と、パケットデータ収束プロトコル（ＰＤＣＰ）サブレイヤ６１４とを含み、これらは、ネットワーク側のｅＮＢにおいて終端する。示されてはいないが、ＵＥは、Ｌ２レイヤ６０８より上にいくつかの上位レイヤを有していてもよい。Ｌ２レイヤ６０８より上のいくつかの上位レイヤは、ネットワーク側のＰＤＮゲートウェイ２０８（図２参照）において終端しているネットワークレイヤ（例えば、ＩＰレイヤ）と、接続のもう一端（例えば、離れた端のＵＥ、サーバ等）において終端しているアプリケーションレイヤとを含む。
【００３５】
ＰＤＣＰサブレイヤ６１４は、異なる無線ベアラと論理チャネルとの間での多重化を提供する。ＰＤＣＰサブレイヤ６１４はまた、無線送信オーバーヘッドを減少させるための、上位レイヤデータパケットに対するヘッダ圧縮と、データパケットを暗号化することによるセキュリティと、ｅＮＢ間でのＵＥに対するハンドオーバーサポートとを提供する。ＲＬＣサブレイヤ６１２は、上位レイヤデータパケットの、セグメント化および再組み立てと、消失データパケットの再送信と、ハイブリッド自動反復要求（ＨＡＲＱ）による順序通りでない受信を補償するための、データパケットの再順序付けとを提供する。ＭＡＣサブレイヤ６１０は、論理チャネルと伝送チャネルとの間での多重化を提供する。ＭＡＣサブレイヤ６１０は、１つのセル中で、ＵＥの間に、さまざまな無線リソース（例えば、リソースブロック）を割り振ることも担当する。ＭＡＣサブレイヤ６１０は、ＨＡＲＱ動作も担当する。
【００３６】
制御プレーンでは、制御プレーンに対するヘッダ圧縮機能が存在しないことを除いて、ＵＥとｅＮＢとに対する無線プロトコルアーキテクチャは、実質的に、物理レイヤ６０６とＬ２レイヤ６０８とに対するものと同一である。制御プレーンは、レイヤ３中の無線リソース制御（ＲＲＣ）サブレイヤ６１６も含む。ＲＲＣサブレイヤ６１６は、無線リソース（すなわち、無線ベアラ）を取得することと、ｅＮＢとＵＥとの間のＲＲＣシグナリングを使用して、下位レイヤを構成することとを担当する。
【００３７】
図７は、アクセスネットワーク中でＵＥ７５０と通信中のｅＮＢ７１０のブロックダイヤグラムである。ＤＬにおいて、コアネットワークからの上位レイヤパケットが、制御装置／プロセッサ７７５に提供される。制御装置／プロセッサ７７５は、図６に関連して先に記述したＬ２レイヤの機能性を実現する。ＤＬにおいて、制御装置／プロセッサ７７５は、ヘッダ圧縮と、暗号化と、パケットのセグメント化および再順序付けと、論理チャネルと伝送チャネルとの間での多重化と、さまざまな優先メトリックに基づく、ＵＥ７５０への無線リソース割り当てとを提供する。制御装置／プロセッサ７７５はまた、ＨＡＲＱ動作と、消失パケットの再送信と、ＵＥ７５０へのシグナリングとを担当する。
【００３８】
ＴＸプロセッサ７１６は、Ｌ１レイヤ（すなわち、物理レイヤ）に対するさまざまな信号処理機能を実現する。信号処理機能は、ＵＥ７５０における順方向誤り訂正（ＦＥＣ）を促進するために、コード化することおよびインターリーブすることと、さまざまな変調スキーム（例えば、２進位相シフトキーイング（ＢＰＳＫ）、直角位相シフトキーイング（ＱＰＳＫ）、Ｍ位相シフトキーイング（Ｍ−ＰＳＫ）、Ｍ直角振幅変調（Ｍ−ＱＡＭ））に基づいて、信号配列にマッピングすることとを含む。コード化され、変調された信号は、その後、パラレルストリーム中に分けられる。各ストリームは、その後、ＯＦＤＭ副搬送波にマッピングされ、時間および／または周波数ドメイン中で基準信号（例えば、パイロット）と多重化され、高速逆フーリエ変換（ＩＦＦＴ）を使用して一緒に合成されて、時間ドメインＯＦＤＭシンボルストリームを運ぶ物理チャネルが生成される。ＯＦＤＭストリームは、空間的に予めコード化され、複数の空間ストリームが生成される。チャネル推定器７７４からのチャネル推定を使用して、コーディングおよび変調のスキームとともに、空間処理に対するスキームを決定してもよい。ＵＥ７５０により送信された、基準信号および／またはチャネル条件フィードバックからチャネル推定を導出してもよい。各空間ストリームは、その後、別個の送信機７１８ＴＸを通して、異なるアンテナ７２０に提供される。各送信機７１８ＴＸは、ＲＦ搬送波を、送信に対するそれぞれの空間ストリームで変調する。
【００３９】
ＵＥ７５０において、各受信機７５４ＲＸは、そのそれぞれのアンテナ７５２を通して信号を受信する。各受信機７５４ＲＸは、ＲＦ搬送波上に変調された情報を復元して、情報を受信機（ＲＸ）プロセッサ７５６に提供する。
【００４０】
ＲＸプロセッサ７５６は、Ｌ１レイヤのさまざまな信号処理機能を実現する。ＲＸプロセッサ７５６は、情報上で空間処理を実行して、ＵＥ７５０に宛てられている任意の空間ストリームを復元する。複数の空間ストリームがＵＥ７５０に宛てられている場合に、これらを、ＲＸプロセッサ７５６により、単一のＯＦＤＭシンボルストリームに合成してもよい。ＲＸプロセッサ７５６は、その後、高速フーリエ変換（ＦＦＴ）を使用して、時間ドメインから周波数ドメインにＯＦＤＭシンボルストリームをコンバートする。周波数ドメイン信号は、ＯＦＤＭ信号の各副搬送波に対して、別個のＯＦＤＭシンボルストリームを含んでいる。各副搬送波上のシンボルおよび基準信号は、ｅＮＢ７１０により送信された可能性が最も高い信号配列点を決定することにより、復元および変調される。これらのソフト判定は、チャネル推定器７５８により計算されたチャネル推定に基づいていてもよい。その後、ソフト判定をデコードおよびデインターリーブして、物理チャネル上でｅＮＢ７１０により元々送信されたデータおよび制御信号を復元する。データおよび制御信号は、その後、制御装置／プロセッサ７５９に提供される。
【００４１】
制御装置／プロセッサ７５９は、図６に関連して先に記述したＬ２レイヤを実現する。ＵＬにおいて、制御／プロセッサ７５９は、伝送チャネルと論理チャネルとの間での多重分離化と、パケットの再組み立てと、解読と、ヘッダ伸張と、制御信号処理とを提供して、コアネットワークからの上位レイヤパケットを復元する。上位レイヤパケットは、その後、データシンク７６２に提供される。上位レイヤパケットは、Ｌ２レイヤより上のすべてのプロトコルレイヤを表す。Ｌ３処理のために、さまざまな制御信号もデータシンク７６２に提供されてもよい。制御装置／プロセッサ７５９はまた、肯定応答（ＡＣＫ）プロトコルおよび／または否定応答（ＮＡＣＫ）プロトコルを使用して、ＨＡＲＱ動作をサポートする誤り訂正を担当する。
【００４２】
ＵＬにおいて、データソース７６７を使用して、上位レイヤパケットを制御装置／プロセッサ７５９に提供する。データソース７６７は、Ｌ２レイヤ（Ｌ２）より上のすべてのプロトコルレイヤを表す。ｅＮＢ７１０によるＤＬ送信と関連して記述した機能性に類似して、制御装置／プロセッサ７５９は、ヘッダ圧縮と、暗号化と、パケットのセグメント化および再順序付けと、ｅＮＢ７１０による無線リソース割り振りに基づく、論理チャネルと伝送チャネルとの間での多重化とを提供することにより、ユーザプレーンおよび制御プレーンに対するＬ２レイヤを実現する。制御装置／プロセッサ７５９はまた、ＨＡＲＱ動作と、消失パケットの再送信と、ｅＮＢ７１０へのシグナリングとを担当する。
【００４３】
ｅＮＢ７１０により送信された、基準信号またはフィードバックから、チャネル推定器７５８によって導出されたチャネル推定を、ＴＸプロセッサ７６８により使用して、適切なコーディングおよび変調スキームを選択して、空間処理を促進してもよい。ＴＸプロセッサ７６８により発生させた空間ストリームは、別々の送信機７５４ＴＸを通して異なるアンテナ７５２に提供される。各送信機７５４ＴＸは、ＲＦ搬送波を、送信のためのそれぞれの空間ストリームで変調する。
【００４４】
ＵＬ送信は、ＵＥ７５０における受信機機能に関連して記述したものと類似した方法で、ｅＮＢ７１０において処理される。各受信機７１８ＲＸは、そのそれぞれのアンテナ７２０を通して信号を受信する。各受信機７１８ＲＸは、ＲＦ搬送波上に変調された情報を復元し、情報をＲＸプロセッサ７７０に提供する。ＲＸプロセッサ７７０は、Ｌ１レイヤを実現する。
【００４５】
制御装置／プロセッサ７７５は、図６に関連して先に記述したＬ２レイヤを実現する。ＵＬにおいて、制御／プロセッサ７７５は、伝送チャネルと論理チャネルとの間での多重分離化と、パケットの再組み立てと、解読と、ヘッダ伸張と、制御信号処理とを提供して、ＵＥ７５０からの上位レイヤパケットを復元する。制御装置／プロセッサ７７５からの上位レイヤパケットを、コアネットワークに提供してもよい。制御装置／プロセッサ７７５は、ＡＣＫプロトコルおよび／またはＮＡＣＫプロトコルを使用して、ＨＡＲＱ動作をサポートする誤り訂正も担当する。
【００４６】
図１に関連して記述した処理システム１１４は、ｅＮＢ７１０を備える。さらに詳細には、処理システム１１４は、ＴＸプロセッサ７１６と、ＲＸプロセッサ７７０と、制御装置／プロセッサ７７５とを備える。
【００４７】
図８は、ネットワーク環境内で１つ以上のフェムトノードが配備されている例示的な通信システム８００を図示している。特に、システム８００は、（例えば、１つ以上のユーザ住宅８３０における）相対的に小さいスケールのネットワーク環境でインストールされる、複数のフェムトノード８１０（例えば、フェムトノード８１０Ａおよび８１０Ｂ）を含んでいる。各フェムトノード８１０は、（示されていない）ＤＳＬルータ、ケーブルモデム、ワイヤレスリンク、または他の接続手段を通して、ワイドエリアネットワーク８４０（例えば、インターネット）と、移動体運営者コアネットワーク８５０とに結合されていてもよい。下記において論じるように、各フェムトノード８１０は、関係するアクセス端末８２０（例えば、アクセス端末８２０Ａ）を、オプションとして、エイリアンアクセス端末８２０（例えば、アクセス端末８２０Ｂ）を担当するように構成されていてもよい。言い換えると、フェムトノード８１０へのアクセスは制限されていてもよく、これにより、所定のアクセス端末８２０は、指定された（例えば、ホーム）フェムトノード８１０の組により担当されてもよいが、何らかの指定されていないフェムトノード８１０（例えば、隣接のフェムトノード８１０）によっては担当されない。
【００４８】
図９は、カバレッジマップの例９００を図示している。カバレッジマップの例９００は、いくつかの追跡エリア９０２（すなわち、ルーティングエリアまたはロケーションエリア）が規定されており、それらのそれぞれがいくつかのマクロカバレッジエリア９０４を含んでいる。追跡エリア９０２Ａ、９０２Ｂ、および９０２Ｃに関係するカバレッジのエリアは、太線により線引きされており、マクロカバレッジエリア９０４は、六角形により表されている。追跡エリア９０２はまた、フェムトカバレッジエリア９０６を含んでいる。この例では、フェムトカバレッジエリア９０６のそれぞれ（例えば、フェムトカバレッジエリア９０６Ｃ）は、マクロカバレッジエリア９０４（例えば、マクロカバレッジエリア９０４Ｂ）内に図示されている。しかしながら、フェムトカバレッジエリア９０６は、完全にマクロカバレッジエリア９０４内に置かれていなくてもよいことを正しく認識すべきである。実際には、非常に多数のフェムトカバレッジエリア９０６が、所定の追跡エリア９０２またはマクロカバレッジエリア９０４とともに規定されていてもよい。また、（示されていない）１つ以上のピコカバレッジエリアが、所定の追跡エリア９０２またはマクロカバレッジエリア９０４内に規定されていてもよい。
【００４９】
再び図８を参照すると、フェムトノード８１０のオーナーは、移動体運営者コアネットワーク８５０を通して提供される、例えば３Ｇ移動体サービスのような、移動体サービスに加入してもよい。加えて、アクセス端末８２０は、マクロ環境と、より小さいスケールの（例えば、住宅の）ネットワーク環境との双方において動作する能力があってもよい。言い換えると、アクセス端末８２０の現在の位置に依存して、移動体運営者コアネットワーク８５０のアクセスノード８６０により、または、１組のフェムトノード８１０のうちの任意の１つ（例えば、対応するユーザ住宅８３０内に存在するフェムトノード８１０Ａおよび８１０Ｂ）により、アクセス端末８２０は担当されてもよい。例えば、加入者が加入者の家の外にいるときに、加入者は、標準的なマクロアクセスノード（例えば、ノード８６０）により担当され、加入者が家にいるときには、加入者は、フェムトノード（例えば、ノード８１０Ａ）により担当される。フェムトノード８１０は、既存のアクセス端末８２０と下位互換性があってもよいことを正しく認識すべきである。
【００５０】
フェムトノード８１０は、単一周波数上に、または、代替として、複数の周波数上に配備されていてもよい。特定のコンフィギュレーションに依存すると、単一の周波数、または、複数の周波数のうちの１つ以上のものは、マクロノード（例えば、ノード８６０）により使用される１つ以上の周波数とオーバーラップしていてもよい。
【００５１】
いくつかの態様では、アクセス端末８２０は、このような接続が可能であるときはいつでも、好ましいフェムトノード（例えば、アクセス端末８２０のホームフェムトノード）と接続するように構成されていてもよい。例えば、アクセス端末８２０が、ユーザの住宅８３０内にあるときはいつでも、アクセス端末８２０は、ホームフェムトノード８１０のみと通信することが望ましいだろう。
【００５２】
いくつかの態様では、アクセス端末８２０は、移動体運営者コアネットワーク８５０内で動作するが、（例えば、好ましいローミングリスト中に規定されているような）その最も好ましいネットワーク上には存在していない場合には、アクセス端末８２０は、より良いシステム再選択（“ＢＳＲ”）を使用して、最も好ましいネットワーク（例えば、好ましいフェムトノード８１０）をサーチし続けてもよい。より良いシステム再選択（“ＢＳＲ”）は、より良いシステムが現在利用可能であるか否かを決定する、利用可能システムの周期的なスキャニングと、このような好ましいシステムに関係付けるための後に続く活動とを伴ってもよい。捕捉エントリにより、アクセス端末８２０は、特有な帯域とチャネルとにサーチを限定してもよい。例えば、最も好ましいシステムに対するサーチは、周期的に反復してもよい。好ましいフェムトノード８１０を発見すると、アクセス端末８２０は、そのカバレッジエリア内でキャンピングするために、フェムトノード８１０を選択する。
【００５３】
フェムトノード８１０へのアクセスは、いくつかの態様において制限されていてもよい。例えば、所定のフェムトノード８１０は、あるアクセス端末８２０に対してあるサービスのみを提供してもよい。いわゆる制限された（すなわち、閉じられた）関係を有する配備において、所定のアクセス端末８２０は、マクロセル移動体ネットワークによって、そして、規定された組のフェムトノード（例えば、対応するユーザ住宅８３０内に存在するフェムトノード８１０）によってのみ、担当されてもよい。いくつかのインプリメンテーションでは、ノードは、少なくとも１つのノードに対して、シグナリング、データアクセス、登録、ページング、またはサービスのうちの少なくとも１つを提供しないように制限されていてもよい。
【００５４】
いくつかの態様では、制限されたフェムトノード（例えば、閉じられた加入者グループ（ＣＳＧ）ホームノードＢ）は、制限されて準備されている組のアクセス端末にサービスを提供するものである。この組は、必要に応じて、一時的に、または、永続的に、拡張されてもよい。いくつかの態様では、ＣＳＧは、アクセス端末の共通アクセス制御リストを共有するアクセスノード（例えば、フェムトノード）の組として、規定されてもよい。領域におけるすべてのフェムトノード（または、すべての制限されたフェムトノード）がその上で動作するチャネルは、フェムトチャネルとして呼ばれることがある。
【００５５】
したがって、フェムトノードとアクセス端末との間に、さまざまな関係が存在してもよい。例えば、アクセス端末の観点から、オープンフェムトノードは、制限された関係を持たないフェムトノードのことを指していてもよい。制限されたフェムトノードは、いくつかの方法において制限されている（例えば、関係付けおよび／または登録に対して制限されている）フェムトノードのことを指していてもよい。ホームフェムトノードは、アクセス端末がその上でアクセスすることや、その上で動作することが認可されているフェムトノードのことを指していてもよい。ゲストフェムトノードは、アクセス端末がその上でアクセスすることや、その上で動作することが一時的に認可されているフェムトノードのことを指していてもよい。エイリアンフェムトノードは、おそらく非常事態（例えば、９１１通話）を除いて、アクセス端末がその上でアクセスすることや、その上で動作することが認可されていないフェムトノードのことを指していてもよい。
【００５６】
制限されたフェムトノードの観点から、ホームアクセス端末は、制限されたフェムトノードにアクセスすることが認可されたアクセス端末のことを指してもよい。ゲストアクセス端末は、制限されたフェムトノードに対する一時的なアクセスを有するアクセス端末のことを指してもよい。エイリアンアクセス端末は、おそらく、例えば９１１通話のような非常事態を除いて、制限されたフェムトノードにアクセスする許可証を持っていないアクセス端末（例えば、制限されたフェムトノードに登録するための信用証明または許可証を持っていないアクセス端末）のことを指してもよい。
【００５７】
便宜のために、ここでの開示は、フェムトノードという文脈の中でさまざまな機能性を記述している。しかしながら、例えばピコノードのような別のノードが、カバレッジエリアに対して、同じ機能性、または、類似した機能性を提供してもよいことを正しく認識すべきである。例えば、ピコノードは、制限されたホームノードとして、カバレッジを提供してもよく、または、所定のアクセス端末に対して規定されていてもよい。他の適切なバリエーションも可能であり、本発明の考慮される部分である。
【００５８】
いくつかの態様では、ここでの教示は、マクロスケールカバレッジ（例えば、典型的にマクロセルネットワークとして呼ばれる、３Ｇネットワークのような、広いエリアのセルラネットワーク）と、より小さいスケールのカバレッジ（例えば、住宅ベースのネットワーク環境またはビルディングベースのネットワーク環境）とを含むネットワークにおいて用いてもよい。
【００５９】
一般的に、アクセス端末がこのようなネットワークを通して移動するとき、アクセス端末は、ある位置において、マクロカバレッジを提供するアクセスノードにより担当されてもよい一方で、アクセス端末は、他の位置において、より小さいスケールのカバレッジを提供するアクセスノードにより担当されてもよい。いくつかの態様では、より小さいカバレッジノードは、インクリメント的な能力の増大、ビルディング内カバレッジ、および、（例えば、より強固なユーザ経験に対する）異なるサービスを提供するために使用されるかもしれない。ここでの論議において、相対的に大きいエリアにわたってカバレッジを提供するノードは、マクロノードとして呼ばれることがある。
【００６０】
マクロノード、フェムトノード、またはピコノードに関係するセルは、それぞれマクロセル、フェムトセル、またはピコセルとして呼ばれることがある。いくつかのインプリメンテーションでは、各セルは、１つ以上のセクタにさらに関係していてもよい（例えば、分割されていてもよい）。
【００６１】
さまざまなアプリケーションにおいて、マクロノード、フェムトノード、またはピコノードを言及するために、他の専門用語を使用してもよい。例えば、マクロノードは、アクセスノード、基地局、アクセスポイント、ｅＮＢ、マクロセル等として、構成されることがあり、または、呼ばれることがある。また、フェムトノードは、ホームノードＢ、ホームｅＮＢ、アクセスポイント、基地局、フェムトセル等として、構成されることがあり、または、呼ばれることがある。
【００６２】
ヘテロジニアスネットワーク配置（単一より多いタイプの基地局（例えば、マクロ、ピコ、およびフェムトのｅＮＢ）を有するネットワーク）において、いくつかのｅＮＢに対する制限された関係付けがＵＬ干渉につながることがある。ここで使用する“マクロＵＥ”は、マクロｅＮＢのみと通信することを認証されている／マクロｅＮＢのみと通信する能力があるＵＥのことを指してもよい。さらに、ここで使用する“フェムトｅＮＢ”は、典型的に、住宅または小さな事業環境での使用のために設計されている、小さなセルラ基地局のことを指してもよい。１つの態様では、フェムトＵＥより強い送信電力を持つ、“フェムトｅＮＢ”にきわめて接近したマクロＵＥは、フェムトｅＮＢに向けられている通信に対してＵＬ干渉を起こすことがある。１つの態様では、マクロＵＥおよびフェムトＵＥの双方のＵＬチャネルが衝突または干渉する場合に、干渉は、フェムトｅＮＢが、フェムトＵＥからの信号をデコードするのを妨げるのに十分なくらい強くなることがある。
【００６３】
動作中に、ネットワークは、制御チャネル（例えば、ＰＵＣＣＨ）に対する再送信を提供するように動作可能ではないかもしれないことから、制御チャネル間の衝突は、共有チャネル（例えば、ＰＵＳＣＨ）間の衝突のものよりもさらに厳しい性能への影響を起こすことがある。干渉減少／消去方法は、数ある中で、ここでは、ＰＵＣＣＨチャネル品質インジケータ（ＣＱＩ）のようなＣＱＩが、他のＵＥから送信されたＣＱＩと衝突するケースにおいて、提示されている。
【００６４】
１つの態様では、制御チャネル情報（例えば、ＰＵＣＣＨ ＣＱＩ）の送信のために、１つ以上のｅＮＢにより専用にされている制限された数のリソースブロック（ＲＢ）が存在する場合に、ＵＬ制御チャネル（例えば、ＰＵＣＣＨ）間の衝突が起こることがある。ピコｅＮＢおよび／またはマクロｅＮＢに、同一の論理または類似した論理を適用して、フェムトｅＮＢに対するこれらのいくつかのＲＢを除いて、ＵＬ送信（例えば、ＰＵＣＣＨ ＣＱＩ）に対して、数個のＲＢをピコｅＮＢに割り振ることが可能になり、ＵＬ送信（例えば、ＰＵＣＣＨ ＣＱＩ）に対して、数個のＲＢをマクロｅＮＢに割り振ることが可能になる。
【００６５】
１つの態様では、フェムトｅＮＢは、マクロｅＮＢまたはピコｅＮＢよりも少ないユーザを担当してもよい。別の態様では、ＣＱＩ送信は、周期的であってもよく、ここで、周期は、異なるＵＥに対して異なっていてもよい。さらに、送信チャネルが、フェムトｅＮＢおよびフェムトＵＥの間で、相対的にゆっくり変化するかもしれないことから、フェムトｅＮＢが複数のフェムトＵＥに対してカバレッジを提供するのに、数個のＲＢで十分であるかもしれない。フェムトｅＮＢおよびフェムトＵＥにより使用されるＲＢに加えて、マクロｅＮＢおよび／またはピコｅＮＢは、より多くのアップリンク制御チャネルＲＢ（例えば、ＰＵＣＣＨ ＲＢ）を割り当ててもよい。マクロｅＮＢおよび／またはピコｅＮＢにより割り当てられたＵＬ制御チャネルに対するＵＬ干渉は、一般的に、フェムトｅＮＢにより経験されるＵＬ干渉と比較して厳しくはないかもしれない。
【００６６】
同期式である例示的なヘテロジニアス通信システム（例えば、マクロｅＮＢ、ピコｅＮＢ、および／またはフェムトｅＮＢの組み合わせを備える通信システム）は、ヘテロジニアスネットワークのかなりの部分に対して同じである循環プリフィックス長を有していてもよい。１つの態様では、パイロットシンボルとデータシンボルとのポジションが複数のＵＥに対して同一になるように、システム中でのＵＥによるＰＵＣＣＨ ＣＱＩの送信は、スロットごとに１つのＲＢに制約されている。１つの態様では、パイロットシンボルおよびデータシンボルの双方は、データにより変調されたコンピュータ発生シーケンス（ＣＧＳ）として、決定されていてもよい。１つの態様では、変調は、直角位相シフトキーイング（ＱＰＳＫ）であり、リード−マラーブロックコードを使用してもよい。以下のものは、単に、何らかの通信システム中で使用されるさまざまな制約の１つの例に過ぎず、ここで議論したバリエーションは、他の制約を有する他の通信システムに適用することが可能であることを理解すべきである。
【００６７】
図１０を参照すると、図示されているものは、図８中に描写されているフェムトｅＮＢ８１０のような干渉低減システム１０００の詳細なブロックダイヤグラムである。ここでの簡略化の目的のために、限定としてではなく、フェムトｅＮＢは、マクロ、ピコ、フェムト、または他のＵＥによる干渉を経験するｅＮＢとして言及される。ここで議論した概念および原理は、さまざまなＵＥからの干渉を経験する他のｅＮＢに対して適用することが可能であることを理解すべきである。
【００６８】
干渉低減システム１０００は、何らかのタイプの、ハードウェア、サーバ、パーソナルコンピュータ、ミニコンピュータ、メインフレームコンピュータ、または、何らかの特殊用途のコンピューティングデバイスもしくは汎用コンピューティングデバイスのうちの少なくとも１つを含んでいてもよい。さらに、干渉低減システム１０００上で動作している、または、干渉低減システム１０００により実行されている、ここに記述したモジュールおよびアプリケーションは、図８中に示されているように、単一のネットワークデバイス上で完全に実行してもよく、あるいは、代替的に、他の態様では、当事者に対して使用可能なフォーマットでデータを提供するために、および／または、通信デバイス８２０と、干渉低減システム１０００により実行される、モジュールおよびアプリケーションとの間のデータフロー中で制御の別個のレイヤを提供するために、別々の、サーバ、データベース、またはコンピュータデバイスは共同して働いてもよい。
【００６９】
干渉低減システム１０００は、ワイヤードネットワークおよびワイヤレスネットワークにわたってデータを送受信でき、ルーチンおよびアプリケーションを実行できるコンピュータプラットフォーム１００２を含む。コンピュータプラットフォーム１００２は、リードオンリーメモリおよび／またはランダムアクセスメモリ（ＲＯＭおよびＲＡＭ）、ＥＰＲＯＭ、ＥＥＰＲＯＭ、フラッシュカード、または、コンピュータプラットフォームに共通な何らかのメモリのような、揮発性メモリおよび不揮発性メモリを含むことがあるメモリ１００４を備える。さらに、メモリ１００４は、１つ以上のフラッシュメモリセルを含んでいてもよく、あるいは、磁気媒体、光学媒体、テープ、またはソフトもしくはハードディスクのような、２次または３次記憶デバイスであってもよい。さらに、コンピュータプラットフォーム１００２はまた、特定用途向け集積回路（“ＡＳＩＣ”）、あるいは、他のチップセット、論理回路、または他のデータ処理デバイスであってもよいプロセッサ１０３０を備える。プロセッサ１０３０は、ハードウェアで、ファームウェアで、ソフトウェアで、およびそれらの組み合わせで具現化される、さまざまな処理サブシステム１０３２を備えていてもよい。さまざまな処理サブシステム１０３２は、干渉低減システム１０００の機能性と、ワイヤードネットワークまたはワイヤレスネットワーク上のネットワークデバイスの動作能力を可能にする。
【００７０】
コンピュータプラットフォーム１００２はさらに、ハードウェアで、ファームウェアで、ソフトウェアで、およびそれらの組み合わせで具現化される通信モジュール１０５０を備えている。通信モジュール１０５０は、干渉低減システム１０００のさまざまなコンポーネントの中での通信とともに、干渉低減システム１０００、デバイス８２０間での通信を可能にする。通信モジュール１０５０は、ワイヤレス通信接続を確立するために必須の、ハードウェア、ファームウェア、ソフトウェア、および／またはそれらの組み合わせを含んでいてもよい。記述した態様にしたがうと、通信モジュール１０５０は、要求されたコンテンツアイテム、制御情報、アプリケーション等の、ワイヤレスブロードキャスト、マルチキャスト、および／またはユニキャストの通信を促進するために必要なハードウェア、ファームウェア、および／またはソフトウェアを含んでいてもよい。
【００７１】
干渉低減システム１０００のメモリ１００４は、干渉低減をサポートするように動作可能なブラインド干渉低減モジュール１０１０を備える。１つの態様では、ブラインド干渉低減モジュール１０１０は、半静的パラメータモジュール１０１２と、ブランド干渉低減スキームモジュール１０１４とを備えていてもよい。１つの態様では、ブラインド干渉低減モジュール１０１０は、別のＵＥからの、所望の成分と干渉信号とを含む受信信号から、干渉信号を減少および／または消去するように動作可能であってもよい。１つの態様では、ブラインド干渉低減モジュール１０１０は、受信信号をデコードし、干渉信号を再構築し、その後、受信信号から干渉信号を消去して、所望の成分を残こすことができる。１つの態様では、ブラインド干渉低減モジュール１０１０は、いくつかの“ブラインド”干渉減少／消去方法のうちの１つ以上のものを使用して、１００％の干渉減少／消去に満たない実行をすることができる。ここで使用する“ブラインド”干渉減少／消去は、ｅＮＢに対して利用可能な半静的パラメータの低減されたセットに基づく干渉減少／消去のことを指してもよい。
【００７２】
１つの態様では、半静的パラメータモジュール１０１２は、１つ以上のブラインド干渉低減スキームを可能にするためにいずれの半静的パラメータが利用可能であるかを決定するように動作可能であってもよい。１つの態様では、半静的パラメータモジュール１０１２は、ｅＮＢセルＩＤ、干渉ＵＥのネットワーク識別子、または、干渉ＵＥのリソースＩＤを取得することができる。別の態様では、半静的パラメータモジュール１０１２は、ｅＮＢセルＩＤを取得することができる。
【００７３】
１つの態様では、ブラインド干渉低減モジュール１０１０は、例えば、セルＩＤおよびＵＥ無線ネットワーク一時識別子（ＵＥ ＲＮＴＩ）と、リソースＩＤとのような、高レイヤシグナリングの間に受信された、半静的パラメータモジュール１０１２からの制限された量の情報を使用して、干渉減少／消去において使用する他の情報を導出するように動作可能であってもよい。１つの態様では、ＵＥ ＲＮＴＩおよびセルＩＤは、固定されたままを保ってもよい一方で、リソースＩＤは、一般的に半静的に構成されている。フェムトｅＮＢにより導出されるかもしれない例示的な量には、ＣＧＳルーツシーケンスと、ＲＢ位置と、局所的周波数分割多重化（ＬＦＤＭ）シンボルごとの循環シフトインデックスと、スクランブリングシーケンスとを含む。
【００７４】
１つの態様では、フェムトｅＮＢは、ペイロードサイズと、干渉ＵＥがどのサブフレーム中でＰＵＣＣＨ ＣＱＩを送っているかとを欠いていてもよい。このような態様では、ブラインド干渉低減スキームモジュール１０１４は、ペイロードサイズの知識なしで、有効な干渉消去（ＩＣ）を提供するように動作可能であってもよい。動作中に、所望の信号と干渉信号との双方を含んでいるかもしれない信号がｅＮＢにより受信される。ブラインド干渉低減スキームモジュール１０１４は、隣接するｅＮＢに向けられている信号のＩＣ順序を決定してもよい。１つの態様では、ブラインド干渉低減スキームモジュール１０１４は、可能性のある干渉ＵＥを持つ各隣接するｅＮＢに対して、ｅＮＢによって観測される平均ノイズの推定を発生させてもよい。このような、可能性ある、または、疑われる、干渉ＵＥは、例えば、同一のＲＢ位置においてＣＱＩを送ることがある。１つの態様では、平均ノイズ値を発生させるための任意の数の計算により、平均ノイズを推定してもよい。例えば、ノイズ信号をフィルタリングしてもよく、信号の単純な平均を発生させてもよい。ブラインド干渉低減スキームモジュール１０１４はまた、隣接ｅＮＢのリストを生成させてもよい。このリストは、例えば、ｅＮＢのそれぞれから来る平均ノイズにしたがって、隣接ｅＮＢを分類してもよい。このようなリストは、例えば、ＩＣスキームの一部として処理されることになるｅＮＢに対する順序を識別するために使用してもよい。
【００７５】
さらに、ブラインド干渉低減スキームモジュール１０１４は、特定のペイロードサイズを仮定して、各隣接ｅＮＢに関係する１つ以上の干渉ＵＥの干渉信号をデコードしてもよい。１つの態様では、任意の適切なペイロードサイズを使用してもよい。例えば、実際の、既知のペイロードサイズの代わりに、最大ペイロードサイズを使用してもよい。このような最大ペイロードサイズは、例えば、１１ビットのペイロードサイズに対応してもよい。１１ビットのペイロードサイズは、例えば、情報ビットをエンコードするために２０ｘ１３ブロックコードを使用する場合に、ＣＱＩの最大ペイロードサイズに対応してもよい。最大ペイロードサイズを仮定する場合に、信号は、その仮定の下にデコードされてもよい。最大ペイロードサイズが正しく、それゆえ、デコーディングも正しい場合に、最後のいくつかのビットは、実際のペイロードサイズが１１より小さい場合には０にすべきである。例えば、仮定したペイロードサイズが最大または最大より小さいか否か等に関わらず、仮定したペイロードサイズの有効性を標準に合わせるために、この表示を使用することができる。
【００７６】
またさらに、ブラインド干渉低減スキームモジュール１０１４は、干渉ＵＥから送信された信号を再構築するように動作可能であってもよい。干渉ＵＥの送信信号の任意の適切な再構築を使用してもよい。例えば、フェムトｅＮＢは、干渉ＵＥにより送信された干渉信号を完全に再現してもよく、フェムトｅＮＢは、干渉ＵＥの信号の部分を表してもよい等。
【００７７】
追加的に、ブラインド干渉低減スキームモジュール１０１４は、不連続的な送信（ＤＴＸ）を検出するように動作可能であってもよい。１つのこのような態様では、ＤＴＸを検出することは、以下に記述するプロセスを含む、多くの適切な方法のうちの１つで行われてもよい。
【００７８】
以下の記述では、以下の専門用語を使用する。“受信信号”は、ｅＮＢにより受信させる信号のことを指してもよい。“干渉信号”は、潜在的な干渉ＵＥ、または、多数の潜在的な干渉ＵＥにより提供されている“受信信号”の一部分のことを指してもよい。“残余信号”は、受信信号から干渉信号を減算することにより取得される信号のことを指してもよい。１つの態様では、受信信号のエネルギーと干渉信号のエネルギーとを計算してもよい。技術的に知られている多数の適切な方法のうちの任意のものにより、これらのエネルギーを計算してもよい。例えば、信号減算技術を通して、受信信号から残余信号を除去してもよい。その後、受信信号と干渉信号との間の比を計算して、しきい値と比較してもよい。受信信号と干渉信号との間の計算した比がしきい値より下である場合に、これは、干渉レベルは低位であるという表示として取り扱ってもよい。このような態様では、ＤＴＸを宣言してもよく、消去を実行する必要がないかもしれない。そうでなければ、例えば、信号減算技術を通して、受信信号から干渉信号を除去してもよい。
【００７９】
上述したプロセスでは、フェムトｅＮＢは、干渉ＵＥが存在するか否か、および、送られているＣＱＩのペイロードサイズを知らないかもしれない。同一の位置においてＣＱＩを送っており、フェムトｅＮＢの近くの強い干渉ＵＥが少数しか存在しないときに、このバリエーションの複雑性は最小である。
【００８０】
１つの態様では、ブラインド干渉低減スキームモジュール１０１４は、ペイロードサイズの知識なしで、ＩＣを促進するように、ｅＮＢにより動作可能であってもよい。追加的に、ｅＮＢは、リソースＩＤを知らないかもしれない。リソースＩＤは、半静的に構成されていることから、例えば、ｅＮＢは、高レイヤシグナリングの間にリソースＩＤを交換できない可能性がある。このような態様では、ｅＮＢは、例えば、セルＩＤおよびＵＥ ＲＮＴＩの知識のみを有しているかもしれない。
【００８１】
フェムトｅＮＢ（すなわち、“ｅＮＢ”）は、例えば、セルＩＤおよびＵＥ ＲＮＴＩのような、高レイヤシグナリングの間に受信した制限された量の情報を使用して、干渉減少／消去の間に使用する他の情報を導出することができる。ｅＮＢにより導出されるかもしれない例示的な量は、ＣＧＳルーツシーケンスと、あるサブフレーム中の各ＬＤＭシンボルに対する共通シフトオフセットと、スクランブリングシーケンスとを含んでもよい。このケースでは、フェムトｅＮＢは、例えば、ペイロードサイズと、あるサブフレーム中で干渉ＵＥがＣＱＩを送っているか否かと、ＬＦＤＭシンボルごとの正確な循環シフトインデックスのような、ある種の情報を欠いているかもしれない。
【００８２】
１つの態様では、ブラインド干渉低減スキームモジュール１０１４は、可能性のある干渉ＵＥのリソースＩＤをブラインドに決定することができる。例えば、ＵＥが特定の循環シフトインデックスを使用していると仮定して、ｅＮＢが干渉ＵＥから観測する可能性がある平均ノイズを推定することにより、ｅＮＢはリソースＩＤを決定してもよい。態様のうちの１つでは、ｅＮＢは、可能性のある循環シフトインデックスのサブセットを処理してもよい。追加的に、または、代替実施形態では、可能性のある循環シフトインデックスのそれぞれに対して、干渉ＵＥにより発生された平均ノイズを推定するのに、各可能性のある循環インデックスを試してもよい。次に、決定された可能性のそれぞれに対する推定したノイズを、それらのノイズ推定にしたがって、増加または減少シーケンスに順序付けしてもよい。１つの態様では、さらなる考慮のために、ｅＮＢに対する強い干渉ＵＥの数にしたがって、最小ノイズ推定を保持してもよい。これらの最小ノイズ推定に対応する循環シフトインデックスを、干渉ＵＥにより使用されるものとしてみなしてもよい。
【００８３】
他の態様では、ブラインド干渉低減スキームモジュール１０１４は、隣接ｅＮＢの干渉減少／消去順序を決定してもよい。例えば、同一のＲＢ位置においてＣＱＩを送っているかもしれない可能性のある干渉ＵＥを持つ隣接するｅＮＢのそれぞれから受信される平均ノイズを、ｅＮＢは推定してもよい。それらの推定から、ｅＮＢは、その後、小さいものから大きいものへ、推定したノイズにしたがった隣接ｅＮＢのリストを生成させてもよい。リストは、各隣接ｅＮＢの干渉減少／消去の順序を識別するために使用してもよい。
【００８４】
別の態様では、ブラインド干渉低減スキームモジュール１０１４は、各干渉ＵＥからの信号をブラインドにデコードしてもよい。このデコーディングは、干渉ＵＥの数にしたがって、少なくとも２つの異なる方法で進めてもよい。単一の干渉ＵＥが存在する場合に、特に、干渉ＵＥに対するスクランブリングコードが既知であるケースにおいて、（上述したように）ペイロードサイズが１１であると仮定して、そのＵＥの信号をデコードすることが可能である。代替的に、１つより多い干渉ＵＥが存在する場合に、ｅＮＢは、各可能性のある既知のスクランブリングコードのサブセットを試し、スクランブリングコードのそれぞれを使用して、信号をデコードしてもよい。ｅＮＢはまた、すべての既知のスクランブリングコードを使用して、信号をデコードしてもよい。いったん、信号がデコードされると、ｅＮＢは、デコーディング処理の間に計算された相関を使用し、相関の発見に基づいて、適切なスクランブリングコードを選び、デコーディング処理においてスクランブリングコードを使用してもよい。この手順の間に、ｅＮＢは、例えば、ペイロードサイズが１１であると仮定してもよく、または、別の適切なペイロードサイズを仮定してもよい。
【００８５】
別の態様では、ブラインド干渉低減スキームモジュール１０１４は、干渉ＵＥのＲＢ位置を知らないかも知れず、よって、フェムトｅＮＢは、各強い干渉ＵＥに対して減少／消去を実行してもよい。複雑性は、それゆえ、一般的に、第１のバリエーションよりも高い。別の態様では、ｅＮＢは、隣接ｅＮＢのセルＩＤを知っているが、ＵＥ ＲＮＴＩおよびリソースＩＤを知らないかもしれない。
【００８６】
フェムトｅＮＢ（すなわち、“ｅＮＢ”）は、例えば、セルＩＤのような、高レイヤシグナリングの間に受信した制限された量の情報を使用して、干渉減少／消去において使用する他の情報を導出することができる。ｅＮＢにより導出されるかもしれない例示的な量は、ＣＧＳルーツシーケンスと、あるサブフレーム中の各ＬＤＭシンボルに対する共通シフトオフセットとを含んでいる。このケースでは、フェムトｅＮＢは、例えば、ペイロードサイズと、あるサブフレーム中で干渉ＵＥがＣＱＩを送っているか否かと、ＬＦＤＭシンボルごとの循環シフトインデックスと、スクランブリングシーケンスとのような、ある種の情報を欠いているかもしれない。
【００８７】
このような態様では、所望の信号と干渉信号との双方を含む信号がｅＮＢにより受信される。ブラインド干渉低減スキームモジュール１０１４は、上述したような、隣接ｅＮＢの干渉減少／消去順序を決定してもよい。
【００８８】
別の態様では、ブラインド干渉低減スキームモジュール１０１４は、対数尤度比（ＬＬＲ）を使用して、各強い干渉ＵＥの信号をデコードしてもよい。１つの態様では、このＵＥのＲＮＴＩが既知ではないことから、スクランブリングコードもまた既知ではなく、ＬＬＲのデスクランブリングを妨げる。このような態様では、ｅＮＢは、ここで議論した適切な処理のうちの何らかのものを使用することとともに、（上述したような）ＬＬＲから、ハードまたはソフト処理を使用することにより、干渉ＵＥの送信信号を再構築してもよい。
【００８９】
別の態様では、フェムトｅＮＢは、干渉ＵＥのＲＢ位置に気づいていないかもしれないことから、各強い干渉ＵＥに対して干渉減少／消去を実行してもよい一方で、フェムトｅＮＢは、情報ビットをデコードしないかもしれない。このバリエーションの複雑性は、一般的に、第１の以前に議論した態様よりも高いが、一般的に、第２の議論した態様よりも低いかもしれない。
【００９０】
図１１〜１５は、請求項に記載した主題項目にしたがった、さまざまな方法論および／または装置を図示している。説明の簡略化の目的のために、方法論は、一連のアクトとして示され記述されているが、いくつかのアクトは、ここに図示し、示され記述されているものとは異なる順序で、ならびに／あるいは、他のアクトと同時に、起こることがあるので、請求項に記載した主題項目は、アクトの順序により限定されないことを、理解すべきであり、正しく認識すべきである。例えば、方法論は、状態ダイヤグラム中のような、一連の相互に関係する状態またはイベントとして、方法論を代替的に表すことができることを当業者は理解し、正しく認識するだろう。さらに、すべての図示したアクトが、請求項に記載した主題項目にしたがって方法論を実現する必要があるわけではない。追加的に、下文に開示した、この仕様全体を通した方法論は、このような方法論をコンピュータに伝送および転送することを促進するために、製造品に記憶することが可能であることをさらに正しく認識すべきである。ここで使用する、製造品という用語は、何らかのコンピュータ読取可能媒体、搬送波、または媒体からアクセス可能なコンピュータプログラムを包含することを意図している。
【００９１】
図１１を参照すると、システム１１００は、ＵＥと、第１のｅＮＢと、何らかの適切な数の追加ｅＮＢまたはＵＥとを備えていてもよい。さらに、動作中に、ｅＮＢは、１つ以上のブラインド干渉減少／消去スキームを実現してもよい。さらに詳細には、図１１は、“ブラインド”干渉減少／消去スキームを図示しているフローダイヤグラムであり、ここで、フェムトｅＮＢにペイロードサイズの知識がないかもしれない。参照番号１１０２において、ｅＮＢは、少なくとも１つの隣接するｅＮＢと干渉ＵＥとに関係する１つ以上の半静的パラメータを検出してもよい。
【００９２】
１つの態様では、半静的パラメータは、例えば、ｅＮＢセルＩＤ、干渉ＵＥのネットワーク識別子、または、干渉ＵＥのリソースＩＤを含んでいてもよい。１つの態様では、ペイロードサイズ、または、干渉ＵＥがサブフレーム中で制御ＣＱＩを送っているか否かは、既知ではない。このような態様では、導出されるかもしれない１つ以上の半静的パラメータは、これらに限定されないが、ｅＮＢセルＩＤを使用して検出されるルーツシーケンスと、干渉ＵＥのリソースＩＤを使用して検出される無線ベアラ位置と、ｅＮＢセルＩＤおよび干渉ＵＥのリソースＩＤを使用して検出される、局所的周波数分割多重化シンボルごとの循環シフトインデックスと、ｅＮＢセルＩＤと干渉ＵＥのネットワーク識別子とを使用して検出されるスクランブリングシーケンス等とを含んでいてもよい。
【００９３】
別の態様では、半静的パラメータは、例えば、ｅＮＢセルＩＤと干渉ＵＥのネットワーク識別子とを含んでもいてもよい。１つ態様では、ペイロードサイズ、ＬＦＤＭシンボルごとの循環シフトインデックス、または、干渉ＵＥがサブフレーム中で制御ＣＱＩを送っているか否かは、既知ではないかもしれない。このような態様では、以下のもののうちの少なくとも１つは、１つ以上の半静的パラメータにより導出されてもよい：ＣＧＳルーツシーケンス、担当ｅＮＢセルＩＤにより検出される、サブフレーム中の各ＬＦＤＭシンボルごとの共通シフトオフセット、ｅＮＢセルＩＤと、干渉ＵＥのネットワーク識別子とを使用して検出されるスクランブリングシーケンス等。
【００９４】
別の態様では、半静的パラメータは、例えば、ｅＮＢセルＩＤを含んでもよい。この態様では、ペイロードサイズ、局所的周波数分割多重化シンボルごとの循環シフトインデックス、干渉ＵＥがサブフレーム中で制御ＣＱＩを送っているか否か、またはスクランブリングシーケンスは、既知ではないかもしれない。この態様では、以下のもののうちの少なくとも１つは、１つ以上の半静的パラメータから導出される：ｅＮＢセルＩＤを使用して検出されるＣＧＳルーツシーケンス、担当ｅＮＢセルＩＤにより検出される、サブフレーム中の各ＬＦＤＭシンボルに対する共通シフトオフセット等。
【００９５】
参照番号１１０４において、ｅＮＢは、１つ以上の検出された半静的パラメータに基づいてブラインド干渉低減スキームを適用して、干渉ＵＥからの信号を低減させてもよい。図１３〜１５を参照して、さまざまなブラインド干渉低減スキームにおけるさらなる議論を提供する。
【００９６】
１つの態様では、ブラインド干渉低減スキームを適用するｅＮＢは、少なくとも１つの隣接するｅＮＢの干渉低減順序を決定してもよい。その後、ｅＮＢは、最大ペイロードサイズを仮定して、疑われる干渉ＵＥの信号をデコードしてもよい。さらに、ＵＥは、疑われる干渉ＵＥの送信信号を再構築して、再構築した信号を形成し、その後、ＤＴＸを検出してもよい。このような態様では、不連続的な送信を検出することは、再構築した信号を受信信号から除去することにより、残余信号を生成させることと、受信信号のエネルギーと残余信号のエネルギーとを計算することと、受信信号エネルギー対残余信号エネルギーの比を計算することと、比をしきい値と比較することと、比がしきい値よりも上である場合に、不連続的な送信を宣言することとをさらに含む。
【００９７】
別の態様では、ブラインド干渉低減スキームを適用するｅＮＢは、干渉ＵＥのリソースＩＤを決定してもよい。ｅＮＢは、少なくとも１つの隣接するｅＮＢの干渉低減順序を識別してもよい。さらに、ｅＮＢは、干渉ＵＥからの信号をデコードしてもよい。その後、ｅＮＢは、デコードした信号を使用して、干渉ＵＥから送信された送信信号を再構築し、ＤＴＸを検出してもよい。単一の干渉ＵＥが存在する場合に、ｅＮＢは、最大ペイロードサイズを１１に等しく設定し、最大ペイロードサイズを使用して、干渉ＵＥからの信号をデコードしてもよい。１つより多い干渉ＵＥが存在する場合に、ｅＮＢは、複数の既知のスクランブリングコードを使用して、各干渉ＵＥの信号をデコードし、相関の最大数に対応するデコードした信号を選択してもよい。１つの態様では、デコーディング処理の間に相関を決定してもよい。１つの態様では、ｅＮＢは、残余信号を生成させることにより、ＤＴＸを検出してもよい。１つの態様では、受信信号から、再構築した信号を除去することにより、残余信号を生成させてもよい。その後、受信信号エネルギー対残余信号エネルギーの比の計算を通して、ＤＴＸを検出してもよい。このような態様では、比がしきい値より上であるとき、ＤＴＸを検出してもよい。
【００９８】
別の態様では、ブラインド干渉低減スキームを適用するｅＮＢは、少なくとも１つの隣接するｅＮＢの干渉低減順序を識別してもよい。ｅＮＢはさらに、ＬＬＲを使用して、強い干渉ＵＥの信号をデコードし、ＬＬＲ結果を利用して、干渉ＵＥから送信された信号を再構築してもよい。その後、ｅＮＢは、デコードした信号からＤＴＸを検出してもよい。
【００９９】
図１２は、例示的な装置１２００の機能性を図示している概念的なブロックダイヤグラムである。図１２を参照すると、システム１２００は、ＵＥと、第１のｅＮＢと、何らかの適切な数の追加ｅＮＢまたはＵＥとを備える。さらに、システム１２００における動作中に、ｅＮＢは、ブラインド干渉減少／消去スキームを実現してもよい。
【０１００】
装置１２００は、少なくとも１つの隣接するｅＮＢと干渉ＵＥとに関係する１つ以上の半静的パラメータを検出することができるモジュール１２０２を備えている。
【０１０１】
装置１２００は、１つ以上の検出された半静的パラメータに基づいて、ブラインド干渉低減スキームを適用して、干渉ＵＥから信号を低減させることができるモジュール１２０４を備えている。
【０１０２】
図１３は、図１１の参照番号１１０４を参照して記述したような、例示的なブラインド干渉低減スキームを図示しているフローダイヤグラムである。描写した態様では、半静的パラメータは、例えば、ｅＮＢセルＩＤ、干渉ＵＥのネットワーク識別子、または干渉ＵＥのリソースＩＤを含んでもよい。
【０１０３】
参照番号１３０２において、ｅＮＢは、さまざまな隣接するｅＮＢの干渉低減順序を決定しもよい。１つの態様では、ｅＮＢは、隣接するｅＮＢに向けられている信号のＩＣ順序を決定してもよい。１つの態様では、ブラインド干渉低減スキームモジュール１１１４は、可能性のある干渉ＵＥを持つ各隣接するｅＮＢに対して、ｅＮＢにより観測される平均ノイズの推定を発生させてもよい。このような、可能性のある、または、疑われる、干渉ＵＥは、例えば、同一のＲＢ位置においてＣＱＩを送ることがある。１つの態様では、平均ノイズ値を発生させるための任意の数の計算により、平均ノイズを推定してもよい。例えば、ノイズ信号をフィルタリングしてもよく、信号の単純な平均を発生させてもよい。
【０１０４】
参照番号１３０４において、ｅＮＢは、最大ペイロードサイズを仮定して、干渉ＵＥの信号をデコードしてもよい。１つの態様では、何らかの適切なペイロードサイズを使用してもよい。例えば、実際の、既知のペイロードサイズの代わりに、最大ペイロードサイズを使用してもよい。このような最大ペイロードサイズは、例えば、１１ビットのペイロードサイズに対応してもよい。１１ビットのペイロードサイズは、例えば、情報ビットをエンコードするために２０ｘ１３ブロックコードを使用する場合に、ＣＱＩの最大ペイロードサイズに対応してもよい。最大ペイロードサイズを仮定する場合に、信号は、その仮定の下にデコードされてもよい。最大ペイロードサイズが正しく、それゆえ、デコーディングも正しい場合に、最後のいくつかのビットは、実際のペイロードサイズが１１より小さい場合には０にすべきである。例えば、仮定したペイロードサイズが最大または最大より小さいか否か等に関わらず、仮定したペイロードサイズの有効性を標準に合わせるために、この表示を使用することができる。
【０１０５】
参照番号１３０６において、ｅＮＢは、干渉ＵＥの送信信号を再構築して、再構築した信号を形成してもよい。干渉ＵＥの送信信号の任意の適切な再構築を使用してもよい。例えば、フェムトｅＮＢは、干渉ＵＥにより送信された干渉信号を完全に再現してもよく、フェムトｅＮＢは、干渉ＵＥの信号の部分を表してもよい等。
【０１０６】
参照番号１３０８において、ｅＮＢは、不連続的な送信を検出してもよい。１つの態様では、受信信号のエネルギーと干渉信号のエネルギーとを計算してもよい。技術的に知られている多数の適切な方法のうちの任意のものにより、これらのエネルギーを計算してもよい。例えば、信号減算技術を通して、受信信号から残余信号を除去してもよい。その後、受信信号と干渉信号との間の比を計算して、しきい値と比較してもよい。受信信号と干渉信号との間の計算した比がしきい値より下である場合に、これは、干渉レベルは低位であるという表示として取り扱ってもよい。このような態様では、ＤＴＸを宣言してもよく、消去を実行する必要がないかもしれない。そうでなければ、例えば、信号減算技術を通して、受信信号から干渉信号を除去してもよい。
【０１０７】
図１４は、図１１の参照番号１１０４に参照して記述したような、別の例示的なブラインド干渉低減スキームを図示しているフローダイヤグラムである。描写した態様では、半静的パラメータは、例えば、ｅＮＢセルＩＤと、ｅＮＢセルＩＤと、干渉ＵＥのネットワーク識別子とを含んでもよい。
【０１０８】
参照番号１４０２において、ｅＮＢは、干渉ＵＥのリソースＩＤを決定してもよい。例えば、ｅＮＢは、ＵＥが特定の循環シフトインデックスを使用していると仮定して、ｅＮＢが干渉ＵＥから観測できる平均ノイズを推定することにより、リソースＩＤを決定してもよい。態様のうちの１つでは、ｅＮＢは、可能性のある循環シフトインデックスのサブセットを処理してもよい。追加的に、または、代替実施形態では、可能性のある循環シフトインデックスのそれぞれに対して、干渉ＵＥにより発生された平均ノイズを推定するのに、各可能性のある循環インデックスを試してもよい。次に、決定された可能性のそれぞれに対する推定したノイズを、それらのノイズ推定にしたがって、増加または減少シーケンスに順序付けしてもよい。１つの態様では、さらなる考慮のために、ｅＮＢに対する強い干渉ＵＥの数にしたがって、最小ノイズ推定を保持してもよい。これらの最小ノイズ推定に対応する循環シフトインデックスを、干渉ＵＥにより使用されるものとしてみなしてもよい。
【０１０９】
参照番号１４０４において、ｅＮＢは、１つ以上の隣接するｅＮＢの干渉低減順序を識別してもよい。例えば、同一のＲＢ位置においてＣＱＩを送っているかもしれない可能性のある干渉ＵＥを持つ隣接するｅＮＢのそれぞれから受信される平均ノイズを、ｅＮＢは推定してもよい。それらの推定から、ｅＮＢは、その後、小さいものから大きいものへ、推定したノイズにしたがった隣接ｅＮＢのリストを生成させてもよい。リストは、各隣接ｅＮＢの干渉減少／消去の順序を識別するために使用してもよい。
【０１１０】
参照番号１４０６において、ｅＮＢは、干渉ＵＥの信号をデコードしてもよい。１つの態様では、デコーディングは、１つ以上の干渉ＵＥが存在するか否かを決定することを含む。このデコーディングは、干渉ＵＥの数にしたがって、少なくとも２つの異なる方法で進めてもよい。単一の干渉ＵＥが存在する場合に、特に、干渉ＵＥに対するスクランブリングコードが既知であるケースにおいて、（上述したように）ペイロードサイズが１１であると仮定して、そのＵＥの信号をデコードすることが可能である。代替的に、１つより多い干渉ＵＥが存在する場合に、ｅＮＢは、各可能性のある既知のスクランブリングコードのサブセットを試し、スクランブリングコードのそれぞれを使用して、信号をデコードしてもよい。ｅＮＢはまた、すべての既知のスクランブリングコードを使用して、信号をデコードしてもよい。いったん、信号がデコードされると、ｅＮＢは、デコーディング処理の間に計算された相関を使用し、相関の発見に基づいて、適切なスクランブリングコードを選び、デコーディング処理においてスクランブリングコードを使用してもよい。この手順の間に、ｅＮＢは、例えば、ペイロードサイズが１１であると仮定してもよく、または、別の適切なペイロードサイズを仮定してもよい。
【０１１１】
参照番号１４０８は、ｅＮＢは、干渉ＵＥの送信信号を再構築して、再構築した信号を形成してもよい。
【０１１２】
参照番号１４１０において、ｅＮＢは、不連続的な送信を検出してもよい。１つの態様では、ｅＮＢは、残余信号を生成させることにより、ＤＴＸを検出してもよい。１つの態様では、受信信号から、再構築した信号を除去することにより、残余信号を生成させてもよい。その後、受信信号エネルギー対残余信号エネルギーの比の計算を通して、ＤＴＸを検出してもよい。このような態様では、比がしきい値よりも上であるときに、ＤＴＸを検出してもよい。
【０１１３】
図１５は、図１１の参照番号１１０４を参照して記述したような、別の例示的なブラインド干渉低減スキームを図示しているフローダイヤグラムである。描写した態様では、半静的なパラメータは、例えば、ｅＮＢセルＩＤを含んでもよい。
【０１１４】
参照番号１５０４において、ｅＮＢは、少なくとも１つの隣接するｅＮＢの干渉低減順序を識別してもよい。１つの態様では、ｅＮＢは、隣接するｅＮＢとして、無線ベアラにおいて制御ＣＱＩを送っているかもしれない可能性のある干渉ＵＥから、隣接するｅＮＢが観測できる平均ノイズを推定し、推定したノイズにしたがって、隣接するｅＮＢを順序付けることにより、ブラインド干渉低減の順序を生成させてもよい。
【０１１５】
参照番号１５０６において、ｅＮＢは、ＬＬＲを使用して、強い干渉ＵＥの信号をデコードしてもよい。
【０１１６】
参照番号１５０８において、ｅＮＢは、ＬＬＲを使用してデコードした信号から干渉ＵＥの送信信号を再構築して、再構築した信号を形成してもよい。ｅＮＢはさらに、ＬＬＲを使用して、強い干渉ＵＥの信号をデコードし、ＬＬＲ結果を使用して、干渉ＵＥから送信された信号を再構築してもよい。その後、ｅＮＢは、デコードした信号からＤＴＸを検出してもよい。
【０１１７】
参照番号１５１０において、ｅＮＢは、不連続的な送信を検出してもよい。１つの態様では、不連続的な送信を検出することは、受信信号から、再構築した信号を除去することにより、残余信号を生成させることと、受信信号のエネルギーと残余信号のエネルギーとを計算することと、受信信号エネルギー対残余信号エネルギーの比を計算することと、比をしきい値と比較することと、比がしきい値よりも上である場合に、不連続的な送信を宣言することとを含んでいてもよい。
【０１１８】
図１および図７を参照すると、１つのコンフィギュレーションでは、ワイヤレス通信のための装置１００は、ｅＮＢにおいて、少なくとも１つの隣接するｅＮＢと、干渉ＵＥとに関係する１つ以上の半静的パラメータを検出する手段と、１つ以上の検出した半静的パラメータに基づいてブラインド干渉低減スキームを適用することによって、干渉ＵＥにより発生された信号から、信号干渉を低減させる手段とを備える。別のコンフィギュレーションでは、装置１００は、少なくとも１つの隣接するｅＮＢの干渉低減順序を識別する手段と、最大ペイロードサイズを仮定して、干渉ＵＥからの受信信号をデコードする手段と、デコードした信号から、干渉ＵＥの送信信号を再構築する手段と、再構築した送信信号中で不連続的な送信を検出する手段とを備えていてもよい。別のコンフィギュレーションでは、装置１００は、隣接するｅＮＢが干渉ＵＥから観測する平均ノイズを推定する手段と、推定した平均ノイズにしたがって隣接するｅＮＢを順序付けることにより、ブラインド干渉低減の順序を生成させる手段とを備えていてもよい。別のコンフィギュレーションでは、装置１００は、最大ペイロードサイズを１１に等しく設定する手段を備えていてもよい。別のコンフィギュレーションでは、装置１００は、受信信号から、再構築した信号を除去することにより、残余信号を生成させる手段と、受信信号のエネルギーと残余信号のエネルギーとを計算する手段と、受信信号エネルギー対残余信号エネルギーの比を計算する手段と、比をしきい値と比較する手段と、比がしきい値よりも上である場合に、不連続的な送信を宣言する手段を備えていてもよい。別のコンフィギュレーションでは、装置１００は、少なくとも１つの隣接するｅＮＢの干渉低減順序を識別する手段と、干渉ＵＥからの信号をデコードする手段と、干渉ＵＥの送信信号を再構築する手段と、再構築した信号から不連続的な送信を検出する手段とを備えていてもよい。別のコンフィギュレーションでは、装置１００は、複数の可能性ある循環シフトインデックスから、干渉ＵＥに対する平均ノイズを推定する手段と、それらのノイズレベルにしたがってノイズ推定を順序付ける手段と、最低ノイズレベル推定を表す循環シフトインデックスを干渉ＵＥに割り当てる手段とを備えていてもよい。別のコンフィギュレーションでは、装置１００は、１つ以上の干渉ＵＥが存在するか否かを決定する手段を備えていてもよい。このような態様では、単一の干渉ＵＥが存在する場合に、装置１００は、最大ペイロードサイズを１１に等しく設定する手段と、最大ペイロードサイズを使用して、干渉ＵＥからの信号をデコードする手段とを備えていてもよい。対照的に、このような態様では、１つより多い干渉ＵＥが存在する場合に、装置１００は、複数の既知のスクランブリングコードを使用して、各干渉ＵＥの信号をデコードする手段と、デコーディングの間に相関を計算する手段と、相関の最大数に対応するデコードした信号を選択する手段とを備えていてもよい。前述の手段は、前述の手段により記載した機能を実行するように構成されている処理システム１１４である。上述したように、処理システム１１４は、ＴＸプロセッサ７１６と、ＲＸプロセッサ７７０と、制御装置／プロセッサ７７５とを備える。よって、１つのコンフィギュレーションでは、前述の手段は、前述の手段により記載した機能を実行するように構成されている、ＴＸプロセッサ７１６と、ＲＸプロセッサ７７０と、制御装置／プロセッサ７７５とであってもよい。
【０１１９】
開示したプロセスにおけるステップの特有な順序または階層が、例示的なアプローチの実例であることを理解すべきである。設計選択に基づいて、プロセスにおけるステップの特有な順序または階層は再構成してもよいことを理解すべきである。添付している方法の請求項は、サンプルの順序におけるさまざまなステップのエレメントを提示しており、提示した特有な順序または階層に限定されることを意味していない。
【０１２０】
先の説明は、任意の当業者が、ここに記述したさまざまな態様を実施できるように提供している。これらの態様に対するさまざまな修正は、当業者に容易に明らかになり、ここで規定した一般的な原理を、他の態様に適用してもよい。したがって、特許請求の範囲は、ここで示した態様に限定することを意図するものではなく、特許請求の範囲の文言と矛盾しない全範囲に一致させるべきである。エレメントへの単数での言及は、“１つおよび１つのみ”と特に述べられていない限り、“１つおよび１つのみ”を意味することを意図しているのではなく、むしろ“１つ以上の”を意味することを意図している。そうでないことが特に述べられていない限り、“いくつか”という用語は、１つ以上のことを指している。当業者に知られ、または後に知られることになる、本開示全体を通して記述しているさまざまな態様のエレメントに対するすべての構造的および機能的な均等物は、ここでの参照により明確に組み込まれ、特許請求の範囲により含まれることを意図している。さらに、ここで開示したものは、このような開示が特許請求の範囲中に明示的に記載されているか否かにかかわらず、公共に捧げられることを意図していない。どの請求項のエレメントも、エレメントが“する手段”というフレーズを使用して明確に記載されていない限り、または、方法の請求項のケースでは、エレメントが“するステップ”というフレーズを使用して記載されていない限り、米国特許法第１１２条第６パラグラフの規定の下で解釈すべきではない。
以下に、本願出願時の特許請求の範囲に記載された発明を付記する。
［１］ワイヤレス通信の方法において、
ｅＮＢにおいて、少なくとも１つの隣接するｅＮＢと、干渉ユーザ機器（ＵＥ）とに関係する１つ以上の半静的パラメータを検出することと、
前記１つ以上の検出した半静的パラメータに基づいてブラインド干渉低減スキームを適用することによって、前記干渉ＵＥにより発生された信号から、信号干渉を低減させることとを含む方法。
［２］前記１つ以上の半静的パラメータは、
ｅＮＢセルＩＤ；
前記干渉ＵＥのネットワーク識別子；または、
前記干渉ＵＥのリソースＩＤ、のうちの少なくとも１つを含む［１］記載の方法。
［３］ペイロードサイズ；または、
前記干渉ＵＥが、サブフレーム中で制御チャネル品質インジケータ（ＣＱＩ）を送っているか否か、のうちの少なくとも１つが既知ではない［２］記載の方法。
［４］前記ｅＮＢセルＩＤを使用して検出されるルーツシーケンス；
前記干渉ＵＥのリソースＩＤを使用して検出される無線ベアラ位置；
前記ｅＮＢセルＩＤと、前記干渉ＵＥのリソースＩＤとを使用して検出される、局所的周波数分割多重化シンボルごとの循環シフトインデックス；または、
前記ｅＮＢセルＩＤと、前記干渉ＵＥのネットワーク識別子とを使用して検出される、スクランブリングシーケンス、のうちの少なくとも１つが前記１つ以上の半静的パラメータから導出される［２］記載の方法。
［５］前記ブラインド干渉低減スキームを適用することは、
前記少なくとも１つの隣接するｅＮＢの干渉低減順序を識別することと、
最大ペイロードサイズを仮定して、前記干渉ＵＥからの受信信号をデコードすることと、
前記デコードした信号から、前記干渉ＵＥの送信信号を再構築することと、
前記再構築した送信信号中で不連続的な送信を検出することとをさらに含む［１］記載の方法。
［６］前記少なくとも１つの隣接するｅＮＢの干渉低減順序を識別することは、
隣接するｅＮＢが前記干渉ＵＥから観測する平均ノイズを推定することと、
前記推定した平均ノイズにしたがって前記隣接するｅＮＢを順序付けることにより、前記ブラインド干渉低減の順序を生成させることとをさらに含む［５］記載の方法。
［７］前記最大ペイロードサイズを仮定して、前記干渉ＵＥからの信号をデコードすることは、前記最大ペイロードサイズを１１に等しく設定することをさらに含む［５］記載の方法。
［８］前記不連続的な送信を検出することは、
前記受信信号から、前記再構築した信号を除去することにより、残余信号を生成させることと、
前記受信信号のエネルギーと前記残余信号のエネルギーとを計算することと、
前記受信信号エネルギー対前記残余信号エネルギーの比を計算することと、
前記比をしきい値と比較することと、
前記比が前記しきい値よりも上である場合に、不連続的な送信を宣言することとをさらに含む［５］記載の方法。
［９］前記１つ以上の半静的パラメータは、ｅＮＢセルＩＤと、前記干渉ＵＥのネットワーク識別子とを含む［１］記載の方法。
［１０］ペイロードサイズ；
局所的周波数分割多重化シンボルごとの循環シフトインデックス；または、
前記干渉ＵＥが、サブフレーム中で制御ＣＱＩを送っているか否か、のうちの少なくとも１つが既知ではない［９］記載の方法。
［１１］前記ｅＮＢセルＩＤを使用して検出されるルーツシーケンス；
前記ｅＮＢセルＩＤにより検出される、サブフレーム中の各局所的周波数分割多重化シンボルに対する共通シフトオフセット；または、
前記ｅＮＢセルＩＤと、前記干渉ＵＥのネットワーク識別子とを使用して検出されるスクランブリングシーケンス、のうちの少なくとも１つが、前記１つ以上の半静的パラメータから導出される［９］記載の方法。
［１２］前記ブラインド干渉低減スキームを適用することは、
前記干渉ＵＥのリソースＩＤを決定することと、
前記少なくとも１つの隣接するｅＮＢの干渉低減順序を識別することと、
前記干渉ＵＥからの信号をデコードすることと、
前記干渉ＵＥの送信信号を再構築することと、
前記再構築した信号から不連続的な送信を検出することとをさらに含む［９］記載の方法。
［１３］前記干渉ＵＥのリソースＩＤを決定することは、
複数の可能性ある循環シフトインデックスから、前記干渉ＵＥに対する平均ノイズを推定することと、
それらのノイズレベルにしたがって前記ノイズ推定を順序付けることと、
最低ノイズレベル推定を表す循環シフトインデックスを前記干渉ＵＥに割り当てることとをさらに含む［１２］記載の方法。
［１４］前記干渉ＵＥからの信号をデコードすることは、
１つ以上の干渉ＵＥが存在するか否かを決定することと、
単一の干渉ＵＥが存在する場合に、
最大ペイロードサイズを１１に等しく設定することと、
前記最大ペイロードサイズを使用して、前記干渉ＵＥからの信号をデコードすることと、または、
１つより多い干渉ＵＥが存在する場合に、
複数の既知のスクランブリングコードを使用して、前記各干渉ＵＥの信号をデコードすることと、
前記デコーディングの間に相関を計算することと、
前記相関の最大数に対応する前記デコードした信号を選択することとをさらに含む［１２］記載の方法。
［１５］前記１つ以上の半静的パラメータは、ｅＮＢセルＩＤを含む［１］記載の方法。
［１６］ペイロードサイズ；
局所的周波数分割多重化シンボルごとの循環シフトインデックス；
前記干渉ＵＥが、サブフレーム中で制御ＣＱＩを送っているか否か；または、
スクランブリングシーケンス、のうちの少なくとも１つが既知ではない［１５］記載の方法。
［１７］前記ｅＮＢセルＩＤを使用して検出されるルーツシーケンス；または、
前記ｅＮＢセルＩＤにより検出される、サブフレーム中の各局所的周波数分割多重化シンボルに対する共通シフトオフセット、のうちの少なくとも１つが、前記１つ以上の半静的パラメータから導出される［１５］記載の方法。
［１８］前記ブラインド干渉低減スキームを適用することは、
前記少なくとも１つの隣接するｅＮＢの干渉低減順序を識別することと、
対数尤度比を使用して、強い干渉ＵＥの信号をデコードすることと、
前記対数尤度比でデコードした信号から、前記干渉ＵＥの送信信号を再構築して、再構築した信号を形成することと、
前記再構築した信号から不連続的な送信を検出することとをさらに含む［１５］記載の方法。
［１９］ワイヤレス通信のための装置において、
ｅＮＢにおいて、少なくとも１つの隣接するｅＮＢと、干渉ＵＥとに関係する１つ以上の半静的パラメータを検出する手段と、
前記１つ以上の検出した半静的パラメータに基づいてブラインド干渉低減スキームを適用することによって、前記干渉ＵＥにより発生された信号から、信号干渉を低減させる手段とを具備する装置。
［２０］前記１つ以上の半静的パラメータは、
ｅＮＢセルＩＤ；
前記干渉ＵＥのネットワーク識別子；または、
前記干渉ＵＥのリソースＩＤ、のうちの少なくとも１つを含む［１９］記載の装置。
［２１］ペイロードサイズ；または、
前記干渉ＵＥが、サブフレーム中で制御ＣＱＩを送っているか否か、のうちの少なくとも１つが既知ではない［２０］記載の装置。
［２２］前記ｅＮＢセルＩＤを使用して検出されるルーツシーケンス；
前記干渉ＵＥのリソースＩＤを使用して検出される無線ベアラ位置；
前記ｅＮＢセルＩＤと、前記干渉ＵＥのリソースＩＤとを使用して検出される、局所的周波数分割多重化シンボルごとの循環シフトインデックス；または、
前記ｅＮＢセルＩＤと、前記干渉ＵＥのネットワーク識別子とを使用して検出される、スクランブリングシーケンス、のうちの少なくとも１つが前記１つ以上の半静的パラメータから導出される［２０］記載の装置。
［２３］前記ブラインド干渉低減スキームを適用することによって、前記干渉ＵＥにより発生された信号から、信号干渉を低減させる手段は、
前記少なくとも１つの隣接するｅＮＢの干渉低減順序を識別する手段と、
最大ペイロードサイズを仮定して、前記干渉ＵＥからの受信信号をデコードする手段と、
前記デコードした信号から、前記干渉ＵＥの送信信号を再構築する手段と、
前記再構築した送信信号中で不連続的な送信を検出する手段とをさらに備える［１９］記載の装置。
［２４］前記少なくとも１つの隣接するｅＮＢの干渉低減順序を識別する手段は、
隣接するｅＮＢが前記干渉ＵＥから観測する平均ノイズを推定する手段と、
前記推定した平均ノイズにしたがって前記隣接するｅＮＢを順序付けることにより、前記ブラインド干渉低減の順序を生成させる手段とをさらに備える［２３］記載の装置。
［２５］前記最大ペイロードサイズを仮定して、前記干渉ＵＥからの信号をデコードする手段は、前記最大ペイロードサイズを１１に等しく設定する手段をさらに備える［２３］記載の装置。
［２６］前記不連続的な送信を検出する手段は、
前記受信信号から、前記再構築した信号を除去することにより、残余信号を生成させる手段と、
前記受信信号のエネルギーと前記残余信号のエネルギーとを計算する手段と、
前記受信信号エネルギー対前記残余信号エネルギーの比を計算する手段と、
前記比をしきい値と比較する手段と、
前記比が前記しきい値よりも上である場合に、不連続的な送信を宣言する手段をさらに含む［２３］記載の装置。
［２７］前記１つ以上の半静的パラメータは、ｅＮＢセルＩＤと、前記干渉ＵＥのネットワーク識別子とを含む［１９］記載の装置。
［２８］ペイロードサイズ；
局所的周波数分割多重化シンボルごとの循環シフトインデックス； 
前記干渉ＵＥが、サブフレーム中で制御ＣＱＩを送っているか否か；または、
スクランブリングシーケンス、のうちの少なくとも１つが既知ではない［２７］記載の装置。
［２９］前記ｅＮＢセルＩＤを使用して検出されるルーツシーケンス；
前記ｅＮＢセルＩＤにより検出される、サブフレーム中の各局所的周波数分割多重化シンボルに対する共通シフトオフセット；または、
前記ｅＮＢセルＩＤと、前記干渉ＵＥのネットワーク識別子とを使用して検出されるスクランブリングシーケンス、のうちの少なくとも１つが、前記１つ以上の半静的パラメータから導出される［２７］記載の装置。
［３０］前記ブラインド干渉低減スキームを適用することによって、前記干渉ＵＥにより発生された信号から、信号干渉を低減させる手段は、
前記干渉ＵＥのリソースＩＤを決定する手段と、
前記少なくとも１つの隣接するｅＮＢの干渉低減順序を識別する手段と、
前記干渉ＵＥからの信号をデコードする手段と、
前記干渉ＵＥの送信信号を再構築する手段と、
前記再構築した信号から不連続的な送信を検出する手段とをさらに備える［２７］記載の装置。
［３１］前記干渉ＵＥのリソースＩＤを決定する手段は、
複数の可能性ある循環シフトインデックスから、前記干渉ＵＥに対する平均ノイズを推定する手段と、
それらのノイズレベルにしたがって前記ノイズ推定を順序付ける手段と、
最低ノイズレベル推定を表す循環シフトインデックスを前記干渉ＵＥに割り当てる手段とをさらに備える［３０］記載の装置。
［３２］前記干渉ＵＥからの信号をデコードする手段は、
１つ以上の干渉ＵＥが存在するか否かを決定する手段と、
単一の干渉ＵＥが存在する場合に、
最大ペイロードサイズを１１に等しく設定する手段と、
前記最大ペイロードサイズを使用して、前記干渉ＵＥからの信号をデコードする手段と、または、
１つより多い干渉ＵＥが存在する場合に、
複数の既知のスクランブリングコードを使用して、前記各干渉ＵＥの信号をデコードする手段と、
前記デコーディングの間に相関を計算する手段と、
前記相関の最大数に対応する前記デコードした信号を選択する手段とをさらに含む［３０］記載の装置。
［３３］前記１つ以上の半静的パラメータは、ｅＮＢセルＩＤを含む［１９］記載の装置。
［３４］ペイロードサイズ；
局所的周波数分割多重化シンボルごとの循環シフトインデックス；
前記干渉ＵＥが、サブフレーム中で制御ＣＱＩを送っているか否か；または、
スクランブリングシーケンス、のうちの少なくとも１つが既知ではない［３３］記載の装置。
［３５］前記ｅＮＢセルＩＤを使用して検出されるルーツシーケンス；または、
前記ｅＮＢセルＩＤにより検出される、サブフレーム中の各局所的周波数分割多重化シンボルに対する共通シフトオフセット、のうちの少なくとも１つが、前記１つ以上の半静的パラメータから導出される［３３］記載の装置。
［３６］前記ブラインド干渉低減スキームを適用することによって、前記干渉ＵＥにより発生された信号から、信号干渉を低減させる手段は、
前記少なくとも１つの隣接するｅＮＢの干渉低減順序を識別する手段と、
対数尤度比を使用して、強い干渉ＵＥの信号をデコードする手段と、
前記対数尤度比でデコードした信号から、前記干渉ＵＥの送信信号を再構築して、再構築した信号を形成する手段と、
前記再構築した信号から不連続的な送信を検出する手段とをさらに備える［３３］記載の装置。
［３７］コンピュータプログラムプロダクトにおいて、
ｅＮＢにおいて、少なくとも１つの隣接するｅＮＢと、干渉ＵＥとに関係する１つ以上の半静的パラメータを検出するためのコードと、
前記１つ以上の検出した半静的パラメータに基づいてブラインド干渉低減スキームを適用することによって、前記干渉ＵＥにより発生された信号から、信号干渉を低減させるためのコードとを有するコンピュータ読取可能媒体を含むコンピュータプログラムプロダクト。
［３８］前記１つ以上の半静的パラメータは、
ｅＮＢセルＩＤ；
前記干渉ＵＥのネットワーク識別子；または、
前記干渉ＵＥのリソースＩＤ、のうちの少なくとも１つを含む［３７］記載のコンピュータプログラムプロダクト。
［３９］ペイロードサイズ；または、
前記干渉ＵＥが、サブフレーム中で制御ＣＱＩを送っているか否か、のうちの少なくとも１つが既知ではない［３８］記載のコンピュータプログラムプロダクト。
［４０］前記ｅＮＢセルＩＤを使用して検出されるルーツシーケンス；
前記干渉ＵＥのリソースＩＤを使用して検出される無線ベアラ位置；
前記ｅＮＢセルＩＤと、前記干渉ＵＥのリソースＩＤとを使用して検出される、局所的周波数分割多重化シンボルごとの循環シフトインデックス；または、
前記ｅＮＢセルＩＤと、前記干渉ＵＥのネットワーク識別子とを使用して検出される、スクランブリングシーケンス、のうちの少なくとも１つが前記１つ以上の半静的パラメータから導出される［３８］記載のコンピュータプログラムプロダクト。
［４１］前記信号干渉を低減させるためのコードは、
前記少なくとも１つの隣接するｅＮＢの干渉低減順序を識別するためのコードと、
最大ペイロードサイズを仮定して、前記干渉ＵＥからの受信信号をデコードするためのコードと、
前記デコードした信号から、前記干渉ＵＥの送信信号を再構築するためのコードと、
前記再構築した送信信号中で不連続的な送信を検出するためのコードとを使用して、前記ブランインド干渉低減スキームを適用する［３７］記載のコンピュータプログラムプロダクト。
［４２］前記少なくとも１つの隣接するｅＮＢの干渉低減順序を識別するためのコードは、
隣接するｅＮＢが前記干渉ＵＥから観測する平均ノイズを推定するためのコードと、
前記推定した平均ノイズにしたがって前記隣接するｅＮＢを順序付けることにより、前記ブラインド干渉低減の順序を生成させるためのコードとをさらに含む［４１］記載のコンピュータプログラムプロダクト。
［４３］前記最大ペイロードサイズを仮定して、前記干渉ＵＥからの信号をデコードするためのコードは、前記最大ペイロードサイズを１１に等しく設定する［４１］記載のコンピュータプログラムプロダクト。
［４４］前記不連続的な送信を検出するためのコードは、
前記受信信号から、前記再構築した信号を除去することにより、残余信号を生成させるためのコードと、
前記受信信号のエネルギーと前記残余信号のエネルギーとを計算するためのコードと、
前記受信信号エネルギー対前記残余信号エネルギーの比を計算するためのコードと、
前記比をしきい値と比較するためのコードと、
前記比が前記しきい値よりも上である場合に、不連続的な送信を宣言するためのコードとをさらに含む［４１］記載のコンピュータプログラムプロダクト。
［４５］前記１つ以上の半静的パラメータは、ｅＮＢセルＩＤと、前記干渉ＵＥのネットワーク識別子とを含む［３７］記載のコンピュータプログラムプロダクト。
［４６］ペイロードサイズ；
局所的周波数分割多重化シンボルごとの循環シフトインデックス；または、
前記干渉ＵＥが、サブフレーム中で制御ＣＱＩを送っているか否か、のうちの少なくとも１つが既知ではない［４５］記載のコンピュータプログラムプロダクト。
［４７］前記ｅＮＢセルＩＤを使用して検出されるルーツシーケンス；
前記ｅＮＢセルＩＤにより検出される、サブフレーム中の各局所的周波数分割多重化シンボルに対する共通シフトオフセット；または、
前記ｅＮＢセルＩＤと、前記干渉ＵＥのネットワーク識別子とを使用して検出されるスクランブリングシーケンス、のうちの少なくとも１つが、前記１つ以上の半静的パラメータから導出される［４５］記載のコンピュータプログラムプロダクト。
［４８］前記信号干渉を低減させるためのコードは、
前記干渉ＵＥのリソースＩＤを決定するためのコードと、
前記少なくとも１つの隣接するｅＮＢの干渉低減順序を識別するためのコードと、
前記干渉ＵＥからの信号をデコードするためのコードと、
前記干渉ＵＥの送信信号を再構築するためのコードと、
前記再構築した信号から不連続的な送信を検出するためのコードとを使用して、前記ブラインド干渉低減スキームを適用する［４５］記載のコンピュータプログラムプロダクト。
［４９］前記干渉ＵＥのリソースＩＤを決定するためのコードは、
複数の可能性ある循環シフトインデックスから、前記干渉ＵＥに対する平均ノイズを推定するためのコードと、
それらのノイズレベルにしたがって前記ノイズ推定を順序付けるためのコードと、
最低ノイズレベル推定を表す循環シフトインデックスを前記干渉ＵＥに割り当てるためのコードとをさらに有する［４８］記載のコンピュータプログラムプロダクト。
［５０］前記干渉ＵＥからの信号をデコードするためのコードは、
１つ以上の干渉ＵＥが存在するか否かを決定するためのコードと、
単一の干渉ＵＥが存在する場合に、
最大ペイロードサイズを１１に等しく設定するためのコードと、
前記最大ペイロードサイズを使用して、前記干渉ＵＥからの信号をデコードするためのコードと、または、
１つより多い干渉ＵＥが存在する場合に、
複数の既知のスクランブリングコードを使用して、前記各干渉ＵＥの信号をデコードするためのコードと、
前記デコーディングの間に相関を計算するためのコードと、
前記相関の最大数に対応する前記デコードした信号を選択するためのコードとをさらに有する［４８］記載のコンピュータプログラムプロダクト。
［５１］前記１つ以上の半静的パラメータは、ｅＮＢセルＩＤを含む［３７］記載のコンピュータプログラムプロダクト。
［５２］ペイロードサイズ；
局所的周波数分割多重化シンボルごとの循環シフトインデックス；
前記干渉ＵＥが、サブフレーム中で制御ＣＱＩを送っているか否か；または、
スクランブリングシーケンス、のうちの少なくとも１つが既知ではない［５１］記載のコンピュータプログラムプロダクト。
［５３］前記ｅＮＢセルＩＤを使用して検出されるルーツシーケンス；または、
前記ｅＮＢセルＩＤにより検出される、サブフレーム中の各局所的周波数分割多重化シンボルに対する共通シフトオフセット、のうちの少なくとも１つが、前記１つ以上の半静的パラメータから導出される［５１］記載のコンピュータプログラムプロダクト。
［５４］前記信号干渉を低減させるためのコードは、
前記少なくとも１つの隣接するｅＮＢの干渉低減順序を識別するためのコードと、
対数尤度比を使用して、強い干渉ＵＥの信号をデコードするためのコードと、
前記対数尤度比でデコードした信号から、前記干渉ＵＥの送信信号を再構築して、再構築した信号を形成するためのコードと、
前記再構築した信号から不連続的な送信を検出するためのコードとを使用して、前記ブラインド干渉低減スキームを適用する［５１］記載のコンピュータプログラムプロダクト。
［５５］ワイヤレス通信のための装置において、
少なくとも１つのプロセッサと、
前記少なくとも１つのプロセッサに結合されているメモリとを具備し、
前記少なくとも１つのプロセッサは、
ｅＮＢにおいて、少なくとも１つの隣接するｅＮＢと、干渉ＵＥとに関係する１つ以上の半静的パラメータを検出し、
前記１つ以上の検出した半静的パラメータに基づいてブラインド干渉低減スキームを適用して、前記干渉ＵＥからの信号を低減させるように構成されている装置。
［５６］前記１つ以上の半静的パラメータは、
ｅＮＢセルＩＤ；
前記干渉ＵＥのネットワーク識別子；または、
前記干渉ＵＥのリソースＩＤ、のうちの少なくとも１つを含む［５５］記載の装置。
［５７］ペイロードサイズ；または、
前記干渉ＵＥが、サブフレーム中で制御ＣＱＩを送っているか否か、のうちの少なくとも１つが既知ではない［５６］記載の装置。
［５８］前記ｅＮＢセルＩＤを使用して検出されるルーツシーケンス；
前記干渉ＵＥのリソースＩＤを使用して検出される無線ベアラ位置；
前記ｅＮＢセルＩＤと、前記干渉ＵＥのリソースＩＤとを使用して検出される、局所的周波数分割多重化シンボルごとの循環シフトインデックス；または、
前記ｅＮＢセルＩＤと、前記干渉ＵＥのネットワーク識別子とを使用して検出される、スクランブリングシーケンス、のうちの少なくとも１つが前記１つ以上の半静的パラメータから導出される［５６］記載の装置。
［５９］ブラインド干渉低減スキームを適用するために、前記少なくとも１つのプロセッサは、
前記少なくとも１つの隣接するｅＮＢの干渉低減順序を識別し、
最大ペイロードサイズを仮定して、前記干渉ＵＥからの受信信号をデコードし、
前記デコードした信号から、前記干渉ＵＥの送信信号を再構築し、
前記再構築した送信信号中で不連続的な送信を検出するように構成されている［５５］記載の装置。
［６０］前記少なくとも１つの隣接するｅＮＢの干渉低減順序を識別するために、前記少なくとも１つのプロセッサは、
隣接するｅＮＢが前記干渉ＵＥから観測する平均ノイズを推定し、
前記推定した平均ノイズにしたがって前記隣接するｅＮＢを順序付けることにより、前記ブラインド干渉低減の順序を生成させるように構成されている［５９］記載の装置。
［６１］最大ペイロードサイズを仮定して、前記干渉ＵＥからの受信信号をデコードするために、前記少なくとも１つのプロセッサは、前記最大ペイロードサイズを１１に等しく設定するように構成されている［５９］記載の装置。
［６２］前記再構築した送信信号中で不連続的な送信を検出するために、前記少なくとも１つのプロセッサは、
前記受信信号から、前記再構築した信号を除去することにより、残余信号を生成させ、
前記受信信号のエネルギーと前記残余信号のエネルギーとを計算し、
前記受信信号エネルギー対前記残余信号エネルギーの比を計算し、
前記比をしきい値と比較し、
前記比が前記しきい値よりも上である場合に、不連続的な送信を宣言するように構成されている［５９］記載の装置。
［６３］前記１つ以上の半静的パラメータは、ｅＮＢセルＩＤと、前記干渉ＵＥのネットワーク識別子とを含む［５５］記載の装置。
［６４］ペイロードサイズ；
局所的周波数分割多重化シンボルごとの循環シフトインデックス；または、
前記干渉ＵＥが、サブフレーム中で制御ＣＱＩを送っているか否か、のうちの少なくとも１つが既知ではない［６３］記載の装置。
［６５］前記ｅＮＢセルＩＤを使用して検出されるルーツシーケンス；
前記ｅＮＢセルＩＤにより検出される、サブフレーム中の各局所的周波数分割多重化シンボルに対する共通シフトオフセット；または、
前記ｅＮＢセルＩＤと、前記干渉ＵＥのネットワーク識別子とを使用して検出されるスクランブリングシーケンス、のうちの少なくとも１つが、前記１つ以上の半静的パラメータから導出される［６３］記載の装置。
［６６］ブラインド干渉低減スキームを適用するために、前記少なくとも１つのプロセッサは、
前記干渉ＵＥのリソースＩＤを決定し、
前記少なくとも１つの隣接するｅＮＢの干渉低減順序を識別し、
前記干渉ＵＥからの信号をデコードし、
前記干渉ＵＥの送信信号を再構築し、
前記再構築した信号から不連続的な送信を検出するように構成されている［６３］記載の装置。
［６７］前記干渉ＵＥのリソースＩＤを決定するために、前記少なくとも１つのプロセッサは、
複数の可能性ある循環シフトインデックスから、前記干渉ＵＥに対する平均ノイズを推定し、
それらのノイズレベルにしたがって前記ノイズ推定を順序付けし、
最低ノイズレベル推定を表す循環シフトインデックスを前記干渉ＵＥに割り当てるように構成されている［６６］記載の装置。
［６８］前記干渉ＵＥからの信号をデコードするために、前記少なくとも１つのプロセッサは、
１つ以上の干渉ＵＥが存在するか否かを決定し、
単一の干渉ＵＥが存在する場合に、
最大ペイロードサイズを１１に等しく設定し、
前記最大ペイロードサイズを使用して、前記干渉ＵＥからの信号をデコードし、または、
１つより多い干渉ＵＥが存在する場合に、
複数の既知のスクランブリングコードを使用して、前記各干渉ＵＥの信号をデコードし、
前記デコーディングの間に相関を計算し、
前記相関の最大数に対応する前記デコードした信号を選択するように構成されている［６６］記載の装置。
［６９］前記１つ以上の半静的パラメータは、ｅＮＢセルＩＤを含む［５５］記載の装置。
［７０］ペイロードサイズ；
局所的周波数分割多重化シンボルごとの循環シフトインデックス；
前記干渉ＵＥが、サブフレーム中で制御ＣＱＩを送っているか否か；または、
スクランブリングシーケンス、のうちの少なくとも１つが既知ではない［６９］記載の装置。
［７１］前記ｅＮＢセルＩＤを使用して検出されるルーツシーケンス；または、
前記ｅＮＢセルＩＤにより検出される、サブフレーム中の各局所的周波数分割多重化シンボルに対する共通シフトオフセット、のうちの少なくとも１つが、前記１つ以上の半静的パラメータから導出される［６９］記載の装置。
［７２］ブラインド干渉低減スキームを適用するために、前記少なくとも１つのプロセッサは、
前記少なくとも１つの隣接するｅＮＢの干渉低減順序を識別し、
対数尤度比を使用して、強い干渉ＵＥの信号をデコードし、
前記対数尤度比でデコードした信号から、前記干渉ＵＥの送信信号を再構築して、再構築した信号を形成し、
前記再構築した信号から不連続的な送信を検出するように構成されている［６９］記載の装置。
【図１】
0005563080.tif 000002
【図２】
0005563080.tif 000003
【図３】
0005563080.tif 000004
【図４】
0005563080.tif 000005
【図５】
0005563080.tif 000006
【図６】
0005563080.tif 000007
【図７】
0005563080.tif 000008
【図８】
0005563080.tif 000009
【図９】
0005563080.tif 000010
【図１０】
0005563080.tif 000011
【図１１】
0005563080.tif 000012
【図１２】
0005563080.tif 000013
【図１３】
0005563080.tif 000014
【図１４】
0005563080.tif 000015
【図１５】
0005563080.tif 000016